(57)【要約】【課題】音楽データを一括して、しかも手軽に入手することはできなかった。【解決手段】ユーザ端末１０、音楽配信サーバ２０、会員情報データベース４０及び、ユーザ端末１０の中で動作するデジタル音楽データ再生用のクライアントソフト３０と、音楽配信サーバ２０を保有する音楽の提供側と提携したショッピングサイト５０と、音楽配信サーバ２０からＣＭで流れている商品の情報の提供サイトであるＣＭ商品情報サイト６０と、これらを接続するインターネット１００とにより構成されて、音楽データの暗号化を解除する際に使用される「ＩＤ」が、サーバとクライアントソフトの連携により時限式で管理され、サーバが「ＩＤ」を供給している時間内でしか再生して聴くことができなく、音楽配信・情報提供・購入までの手段を一括して、しかも手軽に利用者へと提供する手段を提供する。【選択図】      図１
2004198509.tif 000002
【特許請求の範囲】
【請求項１】
インターネットを介して、ユーザ端末と、音楽配信サーバと、会員情報データベースと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにすることを特徴とするＰＵＳＨ型ストリーミング音楽配信システムにおける即時対応型購入システム及び時限式ＩＤ管理サーバシステムを利用してデジタル音楽データの販売を行なうシステム。
【請求項２】
インターネットを介して、ユーザ端末と、音楽配信サーバと、会員情報データベースと、音楽配信サーバを保有する音楽の提供側と提携したショッピングサイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ショッピングサイトは、インターネットに接続され、ＣＤを販売し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにすることを特徴とするＰＵＳＨ型ストリーミング音楽配信システムにおける即時対応型購入システム及び時限式ＩＤ管理サーバシステムを利用してデジタル音楽データの販売を行なうシステム。
【請求項３】
インターネットを介して、ユーザ端末と、音楽配信サーバと、会員情報データベースと、音楽配信サーバを保有する音楽の提供側と提携したショッピングサイトと、音楽配信サーバからＣＭで流れている商品の情報の提供サイトであるＣＭ商品情報サイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ショッピングサイトは、インターネットに接続され、ＣＤを販売し、
ＣＭ商品情報サイトは、音楽配信サーバからＣＭで流れている商品の情報の提供元のサイトであり、音楽配信サーバは、対応するＣＭ商品情報を音楽配信サーバ内に持ってなければインターネット上のＣＭ商品情報サイトから対応するＣＭ商品情報を呼び出し、クライアントソフトに配信し、利用者はＣＭ商品を購入し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにすることを特徴とするＰＵＳＨ型ストリーミング音楽配信システムにおける即時対応型購入システム及び時限式ＩＤ管理サーバシステムを利用してデジタル音楽データの販売を行なうシステム。
【請求項４】
インターネットを介して、ユーザ端末と、音楽配信サーバと、会員情報データベースと、音楽配信サーバからＣＭで流れている商品の情報の提供サイトであるＣＭ商品情報サイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ＣＭ商品情報サイトは、音楽配信サーバからＣＭで流れている商品の情報の提供元のサイトであり、音楽配信サーバは、対応するＣＭ商品情報を音楽配信サーバ内に持ってなければインターネット上のＣＭ商品情報サイトから対応するＣＭ商品情報を呼び出し、クライアントソフトに配信し、利用者はＣＭ商品を購入し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにすることを特徴とするＰＵＳＨ型ストリーミング音楽配信システムにおける即時対応型購入システム及び時限式ＩＤ管理サーバシステムを利用してデジタル音楽データの販売を行なうシステム。
【請求項５】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信することを特徴とするＰＵＳＨ型ストリーミング音楽配信システムにおける即時対応型購入システム及び時限式ＩＤ管理サーバシステムを利用してデジタル音楽データの販売を行なう方法。
【請求項６】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示することを特徴とするＰＵＳＨ型ストリーミング音楽配信システムにおける即時対応型購入システム及び時限式ＩＤ管理サーバシステムを利用してデジタル音楽データの販売を行なう方法。
【請求項７】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示し、ブックマークに登録することを特徴とするＰＵＳＨ型ストリーミング音楽配信システムにおける即時対応型購入システム及び時限式ＩＤ管理サーバシステムを利用してデジタル音楽データの販売を行なう方法。
【請求項８】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示することを特徴とするＰＵＳＨ型ストリーミング音楽配信システムにおける即時対応型購入システム及び時限式ＩＤ管理サーバシステムを利用してデジタル音楽データの販売を行なう方法。
【請求項９】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示し、ブックマークに登録することを特徴とするＰＵＳＨ型ストリーミング音楽配信システムにおける即時対応型購入システム及び時限式ＩＤ管理サーバシステムを利用してデジタル音楽データの販売を行なう方法。
【請求項１０】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽に対応するデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１１】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がブックマークに登録したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１２】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽情報の検索条件を、インターネットを介して音楽配信サーバに送信し、音楽配信サーバはクライアントソフトから送信された音楽情報の検索条件をキーとして音楽情報の検索を行ない、検索結果をクライアントソフトへ通知し、クライアントソフトは利用者が選択したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１３】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品音楽情報配信中、音楽配信サーバにＣＭ商品音楽情報の請求を行ない、請求を受けた音楽配信サーバは、現在配信中のＣＭ商品音楽情報をクライアントソフトに配信し、クライアントソフトは受け取ったＣＭ商品音楽情報を、ユーザ端末の出力を用いて表示し、デジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の登録を行い、音楽配信サーバは、利用者の決済情報を元に、決済処理を開始し、デジタル音楽データを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１４】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１５】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１６】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１７】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、決済処理を行ない、クライアントソフト通知し、ＣＭ商品購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１８】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項１９】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項２０】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項２１】
ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済済実績記録がある場合はＣＤ購入割引決済処理を行ない、クライアントソフト通知し、ＣＭ商品購入することを特徴とするＰＵＳＨ型ストリーミング音楽配信システムにおける即時対応型購入システム及び時限式ＩＤ管理サーバシステムを利用してデジタル音楽データの販売を行なう方法。
【請求項２２】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信する処理をコンピュータに実行させるためのプログラム。
【請求項２３】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示する処理をコンピュータに実行させるためのプログラム。
【請求項２４】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示し、ブックマークに登録する処理をコンピュータに実行させるためのプログラム。
【請求項２５】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示する処理をコンピュータに実行させるためのプログラム。
【請求項２６】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示し、ブックマークに登録する処理をコンピュータに実行させるためのプログラム。
【請求項２７】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽に対応するデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させるためのプログラム。
【請求項２８】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がブックマークに登録したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させるためのプログラム。
【請求項２９】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽情報の検索条件を、インターネットを介して音楽配信サーバに送信し、音楽配信サーバはクライアントソフトから送信された音楽情報の検索条件をキーとして音楽情報の検索を行ない、検索結果をクライアントソフトへ通知し、クライアントソフトは利用者が選択したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させるためのプログラム。
【請求項３０】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品音楽情報配信中、音楽配信サーバにＣＭ商品音楽情報の請求を行ない、請求を受けた音楽配信サーバは、現在配信中のＣＭ商品音楽情報をクライアントソフトに配信し、クライアントソフトは受け取ったＣＭ商品音楽情報を、ユーザ端末の出力を用いて表示し、デジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の登録を行い、音楽配信サーバは、利用者の決済情報を元に、決済処理を開始し、デジタル音楽データを購入する処理をコンピュータに実行させるためのプログラム。
【請求項３１】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させるためのプログラム。
【請求項３２】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させるためのプログラム。
【請求項３３】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させるためのプログラム。
【請求項３４】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、決済処理を行ない、クライアントソフト通知し、ＣＭ商品購入する処理をコンピュータに実行させるためのプログラム。
【請求項３５】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させるためのプログラム。
【請求項３６】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させるためのプログラム。
【請求項３７】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させるためのプログラム。
【請求項３８】
ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、デジタル音楽データ購入履歴にデジタル音楽データ購入済実績記録がある場合はＣＤ購入割引決済処理を行ない、クライアントソフト通知し、ＣＭ商品購入する処理をコンピュータに実行させるためのプログラム。
【発明の詳細な説明】
【０００１】
【発明の属する技術分野】
本発明はＰＵＳＨ型ストリーミング音楽配信システムにおける即時対応型購入システム及び時限式ＩＤ管理サーバシステムを利用してデジタル音楽データの販売を行なうシステムと方法およびプログラムに関し、特に音楽配信・情報提供・購入までの手段を一括して、しかも手軽に利用者へと提供する手段を提供するＰＵＳＨ型ストリーミング音楽配信システムにおける即時対応型購入システム及び時限式ＩＤ管理サーバシステムを利用してデジタル音楽データの販売を行なうシステムと方法およびプログラムに関する。
【０００２】
【従来の技術】
従来の音楽配信システムにおける音楽データの販売を行なうシステムと方法は、
最近、アメリカを中心に、音楽データの違法交換により、音楽ＣＤの売上が落ち込んでいることが問題とされている。
【０００３】
一方で、消費者は無料のサービスを好むが、違法行為を良しとしているわけではなく、手軽な決済システムさえあれば、音楽データの購入をためらわないというアンケート結果も出ている。これは、インターネットの普及とともに、新たな音楽提供手段が必要であることを示している。
【０００４】
しかし、これまでの音楽提供サイトでは、会員登録だけでなく、月々の使用料を支払う必要があり、試聴もごく限られた範囲でしか行なえなかった。
【０００５】
従来の技術として、特開２００２−８２６７４号公報がある（特許文献１参照。）。
【０００６】
これは、メディアで流れている音楽のＣＤ等をＣＤショップに行かずに簡単に購入できるようにする。
【０００７】
インターネット・ｉモードを使ってメディアで流れている音楽を放送局・放送日・放送時間などから検索し注文・購入できるシステムを使う。
【０００８】
メディアから流れる音楽に対し、その場で聞くだけにとどまっていたものをインターネット又はｉモードを通じて即時に流れた音楽を検索し購入する事ができ、コンビニエンスストアー又は宅配便又はインターネットのダウンロードを利用してＣＤ等の購入を行うという流通経路の構築を行うシステムに関するものであある。
【０００９】
従来はメディアで流れている音楽のＣＤ等を購入する時には、ＣＤショップなどに行き記憶に残っている曲のイメージなどから店に設置してあるモニターの検索画面などで曲を調べ購入していた。したがってタイトルが分からず購入することができなかったり時間と手間がかかっていた。
【００１０】
これは次のような欠点があった。
【００１１】
イ．メディアで流れている音楽の曲名・歌手名がわからずＣＤ等を購入することが出来なかった。
【００１２】
ロ．メディアで流れている音楽の曲名・歌手名がわからない場合、調べるのが非常に困難であった。
【００１３】
ハ．ＣＤ等を購入する際ＣＤショップまで行かないと購入できなかった。
【００１４】
ニ．地方に住んでいる消費者は近くに大規模なＣＤショップが無い為都心部に行かないと多種多様のＣＤ等を購入する事ができなかった。
【００１５】
ホ．忙しい消費者にとってはＣＤショップに行く時間も無く購入出来なかった。
【００１６】
以上の欠点を解決するために、メディアで流れている音楽をインターネット・ｉモードにて放送局・放送日・放送時間を入力することにより、即時に曲名・歌手名を検索する事ができ又、検索した音楽の中から希望のＣＤ等を購入予約することができる。
【００１７】
購入予約したＣＤ等の受け取りは宅配便で受取り、代金支払いを口座振込み又は口座引落しで行うこととする。又は購入予約したＣＤ等の受取りをコンビニエンスストアーで行い引換えに代金を支払うこととする。
【００１８】
又はインターネットにより音楽をパソコンや携帯電話にダウンロードし購入、支払いは口座振込み又は口座引落し又はクレジットカードにて支払うこととする。
【００１９】
以上のシステムによりなる流通経路の構築を成すものである。
【００２０】
以下、実施の形態を説明する。
【００２１】
イ．メディアで放送されている音楽をインターネット・ｉモードにて、放送局・放送日・放送時間を入力し曲名・歌手名を検索する。
【００２２】
ロ．検索した音楽の入っているＣＤ等の購入金額がネット上に表示される。
【００２３】
ハ．消費者は表示されたＣＤ等の中から購入したいソフトを選びネット上で発注を行う。
【００２４】
ニ．発注したソフトの受取り及び代金の支払いについては３通りあり、１として、コンビニエンスストアーでソフトを受取り引換えに代金の支払いを行う。
【００２５】
ホ．２として、発注したソフトは指定した住所にて宅配便を受取り、口座振込みか口座引落しにより代金の支払いを行う。
【００２６】
ヘ．３として、発注した音楽はインターネットによりパソコンや携帯電話にダウンロードし購入、支払いは口座振込み又は口座引落し又はクレジットカードにて支払うこととする。
【００２７】
また、従来技術として、特開２００２−９９２８３号公報がある（特許文献２参照。）。
【００２８】
これは、インターネット等のネットワークを利用した音楽配信において、音楽配信用のサーバに端末上のブラウザ等で接続したユーザが未知の楽曲の中から自分の好みに合った楽曲を見つけ出しやすくするための音楽配信システム及び音楽配信方法を提供する。
【００２９】
端末から音楽配信システムが稼働しているウェブサーバに接続し、ユーザ側の端末のディスプレイに表示されたウェブブラウザ画面上で試聴を選択した際に、販売可能な楽曲をストリーミング技術を用いてあらかじめ決められた時間ずつ次々にユーザ側の端末に送信し、当該送信されてきた楽曲を、ユーザ側の端末のスピーカを介して視聴し、ユーザは気に入った楽曲があった場合に、ユーザ側の端末の前記ディスプレイに表示されたウェブブラウザ画面上で当該気に入った楽曲を選択することで、当該気に入った楽曲を購入する。
【００３０】
インターネット等のネットワークを利用した音楽配信技術に係り、特に音楽配信用のサーバに端末上のブラウザ等で接続したユーザが未知の楽曲の中から自分の好みに合った楽曲を見つけ出しやすくするための音楽配信システム及び音楽配信方法に関する。
【００３１】
通常、ユーザがＣＤや音楽配信の形態で楽曲を購入するときは、各メディア（例えば、ラジオやＴＶ）で聞いた曲の中から自分の好みに合った楽曲を選ぶことが多い。また、各メディアから発表されているヒットチャートを参照して現在多く売れている楽曲を調べた後に、これを購入することもある。
【００３２】
しかしながら、各メディア（例えば、ラジオやＴＶ）で放送される楽曲は、調べた時点で発売されている中でも特に売り上げの多いごく一部の楽曲でしかない。その一方で、人（ユーザ）によって楽曲の好み出すのは容易ではないという問題点があった。
【００３３】
斯かる問題点を鑑みてなされたものであり、その目的とするところは、インターネット等のネットワークを利用した音楽配信において、音楽配信用のサーバに端末上のブラウザ等で接続したユーザが未知の楽曲の中から自分の好みに合った楽曲を見つけ出しやすくするための音楽配信システム及び音楽配信方法を提供する点にある。
【００３４】
この第１の音楽配信システムの要旨は、ネットワークで接続され、音楽配信サービスを実行するウェブサイトの実行手段と、ウェブサイトを介して楽曲をストリーミング放送する手段と、ウェブサイトを介して楽曲の注文を受け付けた際に当該注文に応じて課金する手段が設けられているウェブサーバと、前記ネットワークで接続され、当該ウェブサーバ上に構築されているウェブサイトを訪れるためのウェブブラウザ、当該ウェブサーバから配信される楽曲にかかるストリーミング放送を受信するための手段、当該ウェブブラウザの画面を表示するディスプレイ、及び当該ウェブサーバから送信されてきた楽曲をユーザ側で視聴するためのスピーカが設けられている端末を有し、
前記端末から前記ウェブサーバに接続し、当該端末の前記ディスプレイに表示されたウェブブラウザ画面上で試聴を選択した際に、販売可能な楽曲をストリーミング技術を用いてあらかじめ決められた時間ずつ次々にユーザ側の当該端末に送信し、当該送信されてきた楽曲を、ユーザ側の前記端末の前記スピーカを介して視聴し、ユーザ側が気に入った楽曲があった場合に前記端末の前記ディスプレイに表示されたウェブブラウザ画面上で当該気に入った楽曲を選択することで、当該気に入った楽曲を購入することを特徴とする音楽配信システムに存する。
【００３５】
また、この第２の音楽配信システムの要旨は、気に入った楽曲の次の音楽がユーザ側の前記端末の前記スピーカを介してすでに流されている場合に、ユーザ側の前記端末の前記ディスプレイに表示されたウェブブラウザ画面上のボタンをマウスでクリックすることにより、前記端末の前記スピーカを介して前の楽曲を再度試聴する手段を有することを特徴とする第１の音楽配信システムに記載の音楽配信システムに存する。
【００３６】
また、この第３の音楽配信システムの要旨は、前記端末を介してユーザ側が気に入った楽曲に関するデータを閲覧する手段を有することを特徴とする第１のまたは第２の音楽配信システムに記載の音楽配信システムに存する。
【００３７】
また、この第４の音楽配信システムの要旨は、前記端末を介してユーザ側が気に入った楽曲に関するデータを閲覧するとともに、当該楽曲を購入する手段を有することを特徴とする第１の音楽配信システム乃至第３の音楽配信システムのいずれか一つに記載の音楽配信システムに存する。
【００３８】
また、この第５の音楽配信システムの要旨は、ユーザ側の前記端末の前記ディスプレイに表示されたウェブブラウザ画面上に、楽曲の試聴の開始機能の実行を指示する「試聴開始ボタン」を有することを特徴とする第４の音楽配信システムに記載の音楽配信システムに存する。
【００３９】
また、この第６の音楽配信システムの要旨は、ユーザ側の前記端末の前記ディスプレイに表示されたウェブブラウザ画面上に、前の楽曲の試聴機能の実行を指示する「前の楽曲ボタン」を有することを特徴とする第４の音楽配信システムに記載の音楽配信システムに存する。
【００４０】
また、この第７の音楽配信システムの要旨は、ユーザ側の前記端末の前記ディスプレイに表示されたウェブブラウザ画面上に、試聴した楽曲の情報や当該楽曲の購入画面への移行機能の実行を指示する「情報表示ボタン」を有することを特徴とする第４の音楽配信システムに記載の音楽配信システムに存する。
【００４１】
また、この第８の音楽配信システムの要旨は、ユーザ側の前記端末の前記ディスプレイに表示されたウェブブラウザ画面上に、視聴を途中で停止する機能の実行を指示する「試聴停止ボタン」を有することを特徴とする第４の音楽配信システムに記載の音楽配信システムに存する。
【００４２】
また、この第９の音楽配信システムの要旨は、ユーザ側の前記端末の前記ディスプレイに表示されたウェブブラウザ画面上に、次の楽曲を視聴する機能の実行を指示する「次の楽曲ボタン」を有することを特徴とする第４の音楽配信システムに記載の音楽配信システムに存する。
【００４３】
また、この第１０の音楽配信システムの要旨は、ユーザ側の前記端末の前記ディスプレイに表示されたウェブブラウザ画面上に、視聴時間の設定機能の実行を指示する視聴時間入力欄を有することを特徴とする第４の音楽配信システムに記載の音楽配信システムに存する。
【００４４】
また、この第１１の音楽配信システムの要旨は、ユーザ側の前記端末の前記ディスプレイに表示されたウェブブラウザ画面上に、楽曲を複数回連続して繰り返し視聴する機能の実行を指示する「連続試聴ボタン」を有することを特徴とする第４の音楽配信システムに記載の音楽配信システムに存する。
【００４５】
また、この第１２の音楽配信システムの要旨は、ユーザ側の前記端末の前記ディスプレイに表示されたウェブブラウザ画面上に、視聴したい楽曲のジャンルを選択するための試聴ジャンル選択欄を有することを特徴とする第４の音楽配信システムに記載の音楽配信システムに存する。
【００４６】
また、この第１３の音楽配信システムの要旨は、ユーザ側の前記端末の前記ディスプレイに表示されたウェブブラウザ画面上に、視聴した楽曲の歌手および／または楽曲名を表示する機能を実行する情報表示領域を有することを特徴とする第４の音楽配信システムに記載の音楽配信システムに存する。
【００４７】
また、この第１の音楽配信方法の要旨は、端末から音楽配信システムが稼働しているウェブサーバにネットワークを介して接続し、ユーザ側の当該端末のディスプレイに表示されたウェブブラウザ画面上で試聴を選択した際に、販売可能な楽曲をストリーミング技術を用いてあらかじめ決められた時間ずつ次々にユーザ側の当該端末に送信し、当該送信されてきた楽曲を、ユーザ側の当該端末のスピーカを介して視聴し、ユーザ側で気に入った楽曲があった場合に当該端末のディスプレイに表示されたウェブブラウザ画面上で当該気に入った楽曲を選択することで当該気に入った楽曲をユーザ側で購入し、当該気に入った楽曲の購入にかかる料金を当該ウェブサーバからユーザ側に請求することを特徴とする音楽配信方法に存する。
【００４８】
また、この第２の音楽配信方法の要旨は、ネットワークで接続され、音楽配信サービスを実行するウェブサイトの実行工程と、ウェブサイトを介して楽曲をストリーミング放送する工程と、ウェブサイトを介して楽曲の注文を受け付けた際に当該注文に応じて課金する工程が設けられているウェブサーバと、前記ネットワークで接続され、当該ウェブサーバ上に構築されているウェブサイトを訪れるためのウェブブラウザ、当該ウェブサーバから配信される楽曲にかかるストリーミング放送を受信するための手段、当該ウェブブラウザの画面を表示するディスプレイ、及び当該ウェブサーバから送信されてきた楽曲をユーザ側で視聴するためのスピーカが設けられている端末を有する音楽配信システムに対して、前記端末から音楽配信システムが稼働している前記ウェブサーバに接続し、当該端末の前記ディスプレイに表示されたウェブブラウザ画面上で試聴を選択した際に、販売可能な楽曲をストリーミング技術を用いてあらかじめ決められた時間ずつ次々にユーザ側の当該端末に送信する工程と、当該送信されてきた楽曲を、ユーザ側の前記端末の前記スピーカを介して視聴する工程と、ユーザ側が気に入った楽曲があった場合に前記端末の前記ディスプレイに表示されたウェブブラウザ画面上で当該気に入った楽曲を選択することで、当該気に入った楽曲を購入する工程を有することを特徴とする第１の音楽配信方法に記載の音楽配信方法に存する。
【００４９】
また、この第３の音楽配信方法の要旨は、気に入った楽曲の次の音楽がユーザ側の前記端末の前記スピーカを介してすでに流されている場合に、ユーザ側の前記端末の前記ディスプレイに表示されたウェブブラウザ画面上のボタンをマウスでクリックすることにより、前記端末の前記スピーカを介して前の楽曲を再度試聴する工程を有することを特徴とする第２の音楽配信方法に記載の音楽配信方法に存する。
【００５０】
また、この第４の音楽配信方法の要旨は、前記端末を介してユーザ側が気に入った楽曲に関するデータを閲覧する工程を有することを特徴とする第３の音楽配信方法に記載の音楽配信方法に存する。
【００５１】
また、この第５の音楽配信方法の要旨は、前記端末を介してユーザ側が気に入った楽曲に関するデータを閲覧するとともに、当該楽曲を購入する工程を有することを特徴とする第３の音楽配信方法または第４の音楽配信方法に記載の音楽配信方法に存する。
【００５２】
また、この第６の音楽配信方法の要旨は、ユーザ側の前記端末の前記ディスプレイに表示されたウェブブラウザ画面上に、楽曲の試聴の開始機能の実行を指示する「試聴開始ボタン」と、前の楽曲の試聴機能の実行を指示する「前の楽曲ボタン」と、試聴した楽曲の情報や当該楽曲の購入画面への移行機能の実行を指示する「情報表示ボタン」を用い、前記端末が前記ウェブサーバに接続した際に、ユーザ側の前記端末の前記ディスプレイに表示されたウェブブラウザ画面上に、楽曲の試聴の開始機能の実行を指示する前記「試聴開始ボタン」、前の楽曲の試聴機能の実行を指示する前記「前の楽曲ボタン」、試聴した楽曲の情報や当該楽曲の購入画面への移行機能の実行を指示する前記「情報表示ボタン」を表示する工程を有することを特徴とする第３の音楽配信方法乃至第５の音楽配信方法のいずれか一つに記載の音楽配信方法に存する。
【００５３】
また、この第７の音楽配信方法の要旨は、ユーザ側の前記端末の前記ディスプレイに表示されたウェブブラウザ画面上に、視聴を途中で停止する機能の実行を指示する「試聴停止ボタン」と、次の楽曲を視聴する機能の実行を指示する「次の楽曲ボタン」と、視聴時間の設定機能の実行を指示する視聴時間入力欄と、楽曲を複数回連続して繰り返し視聴する機能の実行を指示する「連続試聴ボタン」と、視聴したい楽曲のジャンルを選択するための試聴ジャンル選択欄と、視聴した楽曲の歌手および／または楽曲名を表示する機能を実行する情報表示領域を用い、前記「試聴開始ボタン」上にマウスカーソルを合わせマウスでクリックした際に、前記ウェブサーバに登録されている楽曲を一定時間ずつストリーミング放送する工程と、ユーザ側が気に入った楽曲があり前記「情報表示ボタン」をマウスでクリックした際に、当該楽曲の情報や購入をできる画面に切り替える工程と、ユーザ側が気に入った楽曲が前記スピーカから聞こえてきた後にこれを視聴し当該気に入った楽曲の情報を表示したいと思ったときにすでに次の楽曲が放送されている場合であって、ユーザ側の前記端末の前記ディスプレイに表示されたウェブブラウザ画面上の前記「前の楽曲ボタン」がマウスでクリックされた際に、当該ユーザ側が気に入った楽曲まで戻して再演奏する工程と、前記「試聴停止ボタン」がマウスでクリックされた際に試聴を停止する工程と、前記「次の楽曲ボタン」をマウスでクリックされた際に、あらかじめ設定された一曲あたりの視聴時間が過ぎる前にストリーミング放送している楽曲を切り替える工程と、前記視聴時間入力欄を用いることで１楽曲毎の視聴時間を変更する工程と、前記「連続試聴ボタン」がマウスでクリックされた際に、前記端末の前記スピーカを介して、現在試聴している楽曲を設定時間を越えて繰り返し試聴し続けられるように制御する工程と、ユーザ側が試聴する楽曲のジャンルを前記試聴ジャンル選択欄を用いて選択する工程と、前記情報表示領域に現在試聴している楽曲の情報を表示する工程を有することを特徴とする第６の音楽配信方法に存する。
【００５４】
効果としては、以上のように構成されているので、以下に掲げる効果を奏する。まず第１の効果は、ユーザは数多くの未知の楽曲の中から自分の好みの楽曲を見つけ出し、購入することが容易になり、その結果、知名度の低い楽曲制作者は楽曲の売り上げの増大が見込めることである。
【００５５】
そして第２の効果は、ユーザが端末（パーソナルコンピュータやウェブ端末等）のスピーカを介して試聴している間は、音楽配信システムを搭載したウェブサーバ１２に接続したままとなり、音楽配信システムへの滞在時間が長くなるとともに、端末（パーソナルコンピュータやウェブ端末等）のディスプレイのウェブブラウザ上で好みの楽曲が放送されたときは直ぐに「情報表示ボタン」を押せるように、音楽配信システムの接続画面をディスプレイの最上位に表示し続けることが期待できるため、接続画面上に広告を表示して置く場合に、広告料を高めに設定可能となり、広告による収入も期待できることである。
【００５６】
また、従来技術として、特開２００２−１０８７４７号公報がある（特許文献３参照。）。
【００５７】
これは、ユーザにとって、ネットワーク接続による煩わしさを意識せずに、ネットワークから配信される情報、またはダウンロードした音楽等のマルチメディアコンテンツを楽しむことができるようにする。
【００５８】
「回数制限ファイル」が指定されることにより、Ｗｅｂサーバのデータベースからファイルのダウンロードを指定する。ダウンロードを実行して、このダウンロードしたファイルについて、ユーザが再生指定を行うと、再生回数がカウントさる。このようにしてユーザが再生回数分の再生を行うと、再生回数が終了したか否か、若しくはレンタル期間（再生許可期間）が経過したか否かを判断する。
【００５９】
再生回数が終了し、又はレンタル期間が経過した場合において、買い取りもしくは再レンタルの指示が入力されなかった場合には、記憶されているファイルは自動消去される。
【００６０】
ネットワーク環境や、パソコンで制御実行されるアプリケーションが普及してきても、現状においてはインターネット接続する場合には、これを意識しなければならず、パソコンのユーザにとっては、マルチメディアコンテンツを楽しむ上で煩わしく感じるものがあった。
【００６１】
このような問題点に鑑みてなされたものであり、ユーザにとって、ネットワーク接続による煩わしさを意識せずに、ネットワークから配信される情報、またはダウンロードした音楽等のマルチメディアコンテンツを楽しむことができる、ダウンロードシステム、情報処理装置、及び記録媒体を提供することを目的とするものである。
【００６２】
前記課題を解決するために、かかるダウンロードシステムにあっては、再生情報が設定された設定情報を含む曲データを蓄積するデータベースを管理するサーバと、このサーバに接続することにより、前記データベースよりネットワークを介して曲データをダウンロードして記憶する端末とで構成されるダウンロードシステムにおいて、前記端末は、ダウンロードした曲データの再生を指示する再生指示手段と、この再生指示手段によって曲データの再生が指示されると、この曲データの再生情報を読み出してこの曲データの再生を制御する再生制御手段とを備える。
【００６３】
すなわち、前記再生情報は、例えば再生制限回数情報や再生制限期間情報のように曲データの再生に関する情報である。したがって、ダウンロード後曲データの再生を行うべく再生指示手段により指示すると、曲データの再生情報を読み出してこの曲データの再生を制御することにより、曲データの再生回数や再生期間を制限する等が可能となる。
【００６４】
よって、ユーザがダウンロードした曲データは、再生制限回数や再生期間満了に達するまでレンタルされているものとすることができ、これにより、ファイルの電子レンタルという概念を実現することが可能になる。
【００６５】
いわば、データベースを管理するサーバによって、ダウンロードされた後の曲データを実質的に管理することが可能となるシステムが構築される。
【００６６】
また、係る情報処理装置にあっては、ネットワークを介してサーバに接続する接続手段と、この接続手段により前記サーバに接続されることにより、前記サーバを介してデータベースより曲データをダウンロードするダウンロード手段とを備えた情報処理装置において、前記ダウンロード手段によってダウンロードされた曲データの再生を指示する再生指示手段と、この再生指示手段によって再生が指示されると、再生指示された曲データについて、ダウンロード時に再生制御情報を取得したか否かを判別する判別手段と、この判別手段によって、再生制御情報を取得したと判別した場合には、再生指示された曲データの再生を制御する再生制御手段とを備える。
【００６７】
したがって、係る情報処理装置によれば、係るダウンロードシステムにおける端末として機能することができる。よって、データベースを管理するサーバによって、ダウンロードされた後の曲データを実質的に管理することが可能となるシステムが構築できる端末を提供することができる。
【００６８】
また、係る記録媒体にあっては、ネットワークを介してサーバに接続する接続手順と、この接続手順にて前記サーバに接続されることにより、前記サーバを介してデータベースより曲データをダウンロードするダウンロード手順とを情報処理装置に実行させるプログラムを記録したコンピュータが読み取り可能な記録媒体において、前記ダウンロード手順にてダウンロードされた曲データの再生を指示する再生指示手順と、この再生指示手順にて再生が指示されると、再生指示された曲データについて、ダウンロード時に再生制御情報を取得したか否かを判別する判別手順と、この判別手順にて再生制御情報を取得したと判別した場合には、再生指示された曲データの再生を制御する再生制御手順とを前記情報処理装置に実行させるプログラムを記録している。
【００６９】
したがって、この記録媒体によれば、記録されてプログラムをコンピュータに読み取らせることより、該コンピュータをダウンロードシステムの端末として容易に機能させることができる。
【００７０】
よって、データベースを管理するサーバによって、ダウンロードされた後の曲データを実質的に管理することが可能となるシステムが構築できる端末を、容易に提供することができるようになる。
【００７１】
効果として、以上説明したように、ダウンロード後曲データの再生を行うべく再生指示手段により指示すると、再生制限回数情報や再生制限期間情報のように曲データの再生情報を読み出して、この曲データの再生を制御することから、曲データの再生回数や再生期間を制限する等が可能となる。
【００７２】
よって、ユーザがダウンロードした曲データは、再生制限回数や再生期間満了に達するまでレンタルされているものとすることができ、これにより、ファイルの電子レンタルという概念を実現することが可能になる。
【００７３】
ひいては、データベースを管理するサーバによって、ダウンロードされた後の曲データを実質的に管理することが可能となるシステムを構築することができる。
【００７４】
また、従来技術として、特開２００２−１８９４８０号公報がある（特許文献４参照。）。
【００７５】
これは、乱立した音楽等のマルチメディア配信サイトからユーザサイドの端末が所望の配信データを効率よく受け取ることができるための配信仲介システムを提供する。
【００７６】
マルチメディアデータを保有する複数の配信サイト２及び端末３とデータ伝送可能に接続されているとともに、配信サイトから配信されたマルチメディアデータを端末に転送する配信仲介システムが、配信サイトから配信されたマルチメディアデータを格納管理するデータ管理手段と、このデータ管理手段に格納されたマルチメディアデータを端末への転送前に端末での実施仕様に応じてフォーマット変換するフォーマット変換手段と、端末に転送されたマルチメディアデータに対する前記端末への課金と前記配信サイトへの決済を管理する課金決済手段とを備えている。
【００７７】
これは、文字データや音楽データや画像データや動画データ、あるいはこれらのデータのいずれか又は全てを統合化したデータ（以下、これらのデータをここではマルチメディアデータと総称する）を保有する複数の配信サイト及びマルチメディアデータを要望する端末とデータ伝送可能に接続されているとともに、前記配信サイトから配信されたマルチメディアデータを前記端末に転送する配信仲介システムに関する。
【００７８】
特に、端末側でマルチメディアＣＤなどを製作する際に、音楽配信サイトなどからソースデータとしてのマルチメディアデータ（この場合音楽データ）を取得するために利用される配信仲介システムに関する。
【００７９】
近年、多くの分野においてユーザレベルでのデジタル化の波が押し寄せ、音楽では、デジタルデータを用いて音楽を編集すること、あるいはデジタルカメラを使用した場合はもちろん光学式銀塩カメラを使用して撮影された被写体画像もスキャナによってデジタルデータ化され、自在に編集することが容易になっており、編集された音楽データや画像データは、パソコンや携帯端末によって見たり、聴いたりすることができる。
【００８０】
このような技術的背景から、例えば、写真現像業界においても、顧客から受け取った撮影済み写真フィルムを現像した後その撮影画像をフィルムスキャナで読み取って得られた撮影画像データや、デジタルカメラに搭載されたフラッシュメモリから直接転送された撮影画像データを、ＣＤ−Ｒなどの記録メディアに記録し、この記録メディアを持ち帰った顧客が撮影画像をパソコン画面上で見ながら整理・保管したり、電子メールで友人に送付するようなことができるサービスが登場している。
【００８１】
しかしながら、記録メディアに記録されている撮影画像データに基づいて単に表示される撮影画像を眺めているだけでは、昔ながらの写真アルバムをめくっているのと同じであり、せっかくデジタル化された写真画像の楽しみ方としてはもの足りないので、次なるサービスとしては、デジタル化された撮影画像データに好きな楽曲の音楽データ、場合によっては好きなイラストなどの画像データを組み合わせて音楽付き写真アルバムＣＤといったマルチメディアＣＤを作製することが考えられている。
【００８２】
その際、付加的に組み合わされる楽曲やイラストに関して各顧客の好みに応じるためには、膨大な種類の音楽データや画像データを用意する必要があり、個人や個人商店レベル（例えば各ＤＰ店レベル）で準備することは不可能に近い。
【００８３】
この問題を解決するために、インターネット等の通信網を利用した音楽配信サイトなどのマルチメディアデータを扱う配信サイトを利用して必要な楽曲の音楽データだけを取得することが考えられるが、例えば、現状の音楽配信サイトは音楽メーカ系列によって乱立しており、しかも、そのデータ（圧縮）フォーマットやプロテクト方法や課金決済方法などがことごとく異なっており、個人や個人商店レベル（例えば各ＤＰ店レベル）でこれら全てに対応することは大きな作業的かつコスト的負荷となる。
【００８４】
上記実状に鑑み、課題は、乱立した音楽等のマルチメディア配信サイトからユーザサイドの端末が所望の配信データを効率よく受け取ることができるための配信仲介システムを提供することである。
【００８５】
上記課題を解決するため、マルチメディアデータを保有する複数の配信サイト及びマルチメディアデータを要望する端末とデータ伝送可能に接続されているとともに、前記配信サイトから配信されたマルチメディアデータを前記端末に転送するところの、本発明による１つの配信仲介システムでは、前記端末に転送されたマルチメディアデータに対する前記端末への課金と前記配信サイトへの決済を管理する課金決済手段が備えられている特徴をもっており、他の１つの配信仲介システムでは、前記配信サイトから配信されたマルチメディアデータを格納管理するデータ管理手段と、前記データ管理手段に格納されたマルチメディアデータを前記端末への転送前に前記端末での実施仕様に応じてフォーマット変換するフォーマット変換手段とを備えている特徴をもっている。もちろん、上記２つの特徴を同時に備えた配信仲介システムも本発明によって提案される。
【００８６】
このような構成では、配信サイトとユーザサイドの端末との間に位置するこの配信仲介システムが、配信サイトからのマルチメディアデータを一旦仲介し、必要に応じて端末が要望するフォーマットに変換した後端末に送信することができる。
【００８７】
さらに、端末に送信されたマルチメディアデータに関してその配信サイトに対する課金決済をこの配信仲介システムが肩代わりする場合には、端末側は配信仲介システムにマルチメディアデータの取得代金を支払うだけでよい。
【００８８】
これによって、配信サイトが乱立するとともに配信されるマルチメディアデータのフォーマットや課金決済方法がバラバラであっても、ユーザサイドの端末は唯一のアクセス先としての配信仲介システムから統一のとれた手続きでかつ所望のフォーマットで必要なタイトルのデータを取得することができる。
【００８９】
このような配信仲介システムを、前述したような、デジタル化された撮影画像データに顧客の好きな楽曲の音楽データを組み合わせて音楽付き写真アルバムＣＤ（又は類似の記録メディア）を作製するサービスを実施するＤＰ店の端末からの利用に特化した場合、そのシステムは、マルチメディアデータの１つとしての音楽データを保有する複数の音楽配信サイト及び音楽データを要望する端末とデータ伝送可能に接続されているとともに、前記音楽配信サイトから配信された音楽データを前記端末に転送することになり、その際、前記音楽配信サイトから配信された音楽データを格納管理するデータ管理手段と、前記データ管理手段に格納された音楽データを前記端末への転送前に前記端末での実施仕様に応じてフォーマット変換するフォーマット変換手段と、前記端末に転送された音楽データに対する前記端末への課金と前記配信サイトへの決済を管理する課金決済手段とが備えられる。これにより、上述した全ての利点を享受できる。
【００９０】
この好適な実施形態の１つでは、前記端末での実施仕様を記述した端末プロファイルを管理する端末プロファイル管理手段が備えられている。これにより、配信仲介システムは、配信サイトが保有するデータの取得をリクエストしてきた端末がそのデータをどのような形態で使用するのかが端末プロファイルから知ることができるので、それに従ったフォーマット変換やプロテクト処理、あるいは課金設定を行うことができ、端末側の利便性が向上する。
【００９１】
また、この別な好適実施形態の１つでは、前記データ管理手段には、前記配信サイトで保有されているデータの種類やフォーマットを記述した配信サイトプロファイルを管理する配信サイトプロファイル管理部が備えられている。この構成では、乱立した配信サイトがどのようなデータをどのようなフォーマットで保有しているかが配信サイトプロファイルから直ちに把握することができるので、端末からのあらゆるデータ取得のリクエストに迅速に応じることができる。
【００９２】
さらに、前記データ管理手段に、前記配信サイトで保有されているデータ又は前記データ管理手段に格納されているデータあるいはその両方のデータとのタイトルなどを記述したインデックスファイルを管理するインデックスファイル管理部が備えられているならば、端末からリクエストされたデータを高速に検索抽出して、転送することができる。
【００９３】
その際、この配信仲介サーバが配信サイトで保有している音楽データや画像データなどのマルチメディアデータに関するプロキシサーバとして機能している場合、よくリクエストされる又はリクエストが予想されるデータが配信仲介システムに格納されていることになるので、端末にリクエストに対して迅速にサービスすることができる。
【００９４】
その際、前記インデックスファイルの少なくとも一部がＨＴＭＬ化されて前記端末に送信されるならば、端末側で配信仲介システムが迅速に取り扱うことができるデータの一覧をＷＷＷブラウザを用いて見ることができ、データの選択作業が楽になる。また、そのＨＴＭＬ文書を工夫して、一覧表示したデータの中から端末によって選択されたデータをＣＧＩ等の技術を使って該当データを引き出すようにするとさらにデータ選択のユーザインターフェースが向上する。
【００９５】
また、高解像度データはプリント制御部に転送され、プリントデータに変換されて、プリントヘッドを制御することで、印画紙に撮影画像を露光し、最終的に通常の写真プリントが出力される。
【００９６】
オーサリング部で作製されたマルチメディアファイルが、場合によっては写真プリントに用いられた高解像度データとともに、ＣＤ−Ｒドライブ制御部に送られ、ＣＤ用のフォーマットに変換され、ＣＤ−ＲドライブによってＣＤ−Ｒメディアに書き込まれ、音楽付き写真アルバムＣＤが完成する。
【００９７】
なお、このＣＤフォーマット化の際、音楽データは通常のＣＤプレイヤによって音楽再生可能なように音楽トラックに書き込まれる。従って、この音楽付き写真アルバムＣＤでは配信仲介システムからダウンロードされた音楽を普通の音楽ＣＤのように再生することが可能となる。
【００９８】
上述した実施の形態では、配信仲介システムは、音楽配信サイトから配信される音楽データを仲介して端末に転送し、端末側のＤＰ店では、受け取った音楽データと店で準備した写真画像データとを組み合わせて音楽付き写真アルバムＣＤを作製したが、この配信仲介システムは、画像配信サイトから配信されるイラストなどの画像データはもちろん動画データをはじめ種々のマルチメディアデータを端末に転送することができるので、端末を備えたＤＰ店では、受け取った音楽データや画像データなどのマルチメディアデータを写真画像データと組み合わせてマルチメディア写真アルバムＣＤを作製することも可能であるし、写真画像データ自体も配信仲介システムの仲介の下に顧客から取得するような形態を採用して音楽付き写真アルバムＣＤやマルチメディア写真アルバムＣＤを作製することも可能である。
【００９９】
また、従来技術として、特開２００２−２０７４９０号公報がある（特許文献５参照。）。
【０１００】
これは、レンタル店にてレンタルしたことのある音楽媒体について、顧客が好きな時間、好きな場所でインターネットに接続されたサーバ装置から、その音楽媒体の歌詞データおよびレーベルデータをダウンロード可能とする。
【０１０１】
レンタル店サーバ装置と顧客クライアント装置とがネットワーク通信手段を介して接続されており、レンタル店サーバ装置は、歌詞データを記憶する歌詞データベースと、レーベルデータを記憶するレーベルデータベースと、顧客がレンタルを行った経歴や音楽情報および顧客の個人情報を記憶する個人情報記憶手段とを備え、顧客クライアント装置から、その顧客がレンタルを行った楽曲に対する歌詞データやレーベルデータの配信要求があったとき、個人情報記憶手段に記憶されている個人情報に基づき、顧客クライアント装置に対して歌詞データやレーベルデータの配信を行う。
【０１０２】
これは、ＣＤやＭＤ等のレンタル業において、顧客がレンタルしたＣＤやＭＤ等に関するレーベルや歌詞カード等のデータをダウンロード可能とするサービスを提供する音楽用データ配信システムおよび配信方法ならびに配信プログラムを記録した記録媒体に関する。
【０１０３】
近時、楽曲の記録媒体としてＣＤやＭＤ等が広く出回っており、このＣＤやＭＤのレンタル業が営まれている。そして、このレンタル業において、ＣＤやＭＤの貸し出しが行われる際には、通常、ＣＤやＭＤに記録されている楽曲の歌詞カードや外装されているレーベルが、ＣＤやＭＤが収納されるケース内に納められて、ＣＤやＭＤの媒体と共に一緒に貸し出される。
【０１０４】
ところで、近年の書き込みメディアの進展により、ＣＤ−ＲやＭＤ等のメディアに対して、レンタルしたＣＤ等の音楽データなどを、ユーザが、個人的な鑑賞を目的として、自宅で容易に複製することができるようになっている。
【０１０５】
しかしながら、その中でも歌詞カードやレーベルを複製しようとする場合、一般家庭で複写機を所有しているケースは少ないため、コンビニエンスストアなどに出向いて複製を行う必要があり、手間がかかるといった問題があった。
【０１０６】
また、通常は、レンタルを行った当日若しくは翌日に店に返却する必要があり、歌詞カードやレーベルが手元に残ることはないため、返却を行った後で歌詞カードやレーベルの複製を行うことは不可能であった。
【０１０７】
しかも、歌詞カードやレーベルは、通常、冊子状等になっており、複写機で複写する対象の印刷用紙（Ｂ４やＡ４等）とは異なる特殊なサイズであることから、通常の複写機によるコピーを行っても、その後、顧客自身がハサミ等で切り取って冊子状等に加工しなければ見栄えの悪いものであった。
【０１０８】
このような実情に鑑み、従来より、以下に示す種々の従来技術が提案されている。
【０１０９】
例えば、特開平２−２０８７９７号公報に開示されたコンパクトディスク自動貸出機は、コンパクトディスクの貸出時に、備え付けの印字部から、貸し出すコンパクトディスクに対応する歌詞を印字出力する。また、貸出時において、貸出記録に対応する貸出証拠情報を受け取り、後日その情報を装置に入力することで、貸出したコンパクトディスクの返却後も、対応する歌詞を印字出力することが可能となっている（これを、従来技術１とする）。
【０１１０】
また、特開平１１−２０２８５５号公報には、１曲ごとの歌詞やその楽曲に関するデータを１枚の紙に印刷した楽曲カードに関する技術が開示されている。また、通信ネットワークによる楽曲配信システムにおいて、情報端末機から希望する楽曲とともに、その楽曲に関するジャケットイメージ、楽曲歌詞シート、楽曲識別シート、楽曲インデックス、若しくは楽曲背中シート等の楽曲カードが出力されるようになっている（これを、従来技術２とする）。
【０１１１】
また、特開平１１−１３４２７９号公報には、ネットワークを介してセンタ装置から端末装置へメディア情報を配送し、配送されたメディア情報を着脱可能な記録媒体へ記録するメディア情報配送記録システムにおいて、記録する複数のメディア情報を簡単に指定したり、記録に先立って試聴したり、ラベルや歌詞などを印刷したり、利用者が持っている記録媒体に追記したりすることができるメディア情報配送記録システムが開示されている（これを、従来技術３とする）。
【０１１２】
しかしながら、上記した従来技術１のものでは、後日、歌詞データを出力しようと試みても、その自動貸出機のところまで行かなければならず、面倒であるといった問題があった。
【０１１３】
また、上記した従来技術２および従来技術３のものでは、楽曲自体をネットワーク上で販売するシステムにおいて、楽曲コンテンツとともに楽曲データがダウンロードされるものであり、ＣＤやＭＤ等をレンタルする形態において、過去にレンタルした楽曲の媒体名を指定することにより、それに対応する楽曲コンテンツのみをダウンロードすることについては何も開示されていない。
【０１１４】
係る問題点を解決すべく創案されたもので、その目的は、レンタル店におけるレンタル店サーバ装置若しくはレンタル店集中管理サーバ装置において、顧客の個人情報を管理すると同時に、付属のレーベルや歌詞カードに関するデータ、および各顧客のレンタルした媒体の履歴を記憶し、顧客がそれを好きな時間、好きな場所でインターネットに接続された前記サーバ装置から歌詞データおよびレーベルデータをダウンロードすることにより、返却後の録音済メディアを整理しやすくすることのできる音楽用データ配信システムおよび配信方法ならびに配信プログラムを記録した記録媒体を提供することにある。
【０１１５】
上記課題を解決するため、このレンタル店サーバ装置は、歌詞データを記憶する歌詞データベースと、レーベルデータを記憶するレーベルデータベースと、顧客がレンタルを行った経歴や音楽情報および顧客の個人情報を記憶する個人情報記憶手段と、顧客クライアント装置とネットワークを介して通信を行う通信手段とを備え、前記顧客クライアント装置から、その顧客がレンタルを行った楽曲に対する歌詞データやレーベルデータの配信要求があったとき、前記個人情報記憶手段に記憶されている個人情報に基づき、前記顧客クライアント装置に対して歌詞データやレーベルデータの配信を行うことを特徴とする。
【０１１６】
また、この顧客クライアント装置は、レンタル店サーバ装置とネットワークを介して通信を行う通信手段と、レンタル店サーバ装置にレンタル履歴として記憶されている楽曲名の一覧を取得する個人情報取得手段と、取得した楽曲名の一覧の中から少なくとも１つの楽曲名の選択入力を行う楽曲選択入力手段と、この楽曲選択入力手段より入力したデータに対応する歌詞データまたはレーベルデータのうち少なくとも１つを前記レンタル店サーバ装置から取得する歌詞データ・レーベルデータ取得手段とを備えたことを特徴とする。
【０１１７】
また、このレンタル店集中管理サーバ装置は、歌詞データを記憶する歌詞データベースと、レーベルデータを記憶するレーベルデータベースと、各レンタル店サーバ装置において個別に記憶されている、顧客がレンタルを行った経歴や音楽情報および顧客の個人情報を一括して記憶する個人情報集中記憶手段と、顧客クライアント装置とネットワークを介して通信を行う通信手段とを備え、前記顧客クライアント装置から、その顧客がレンタルを行った楽曲に対する歌詞データやレーベルデータの配信要求があったとき、前記個人情報集中記憶手段に記憶されている個人情報に基づき、前記顧客クライアント装置に対して歌詞データやレーベルデータの配信を行うことを特徴とする。
【０１１８】
また、この音楽用データ配信システムは、上記のレンタル店サーバ装置と、顧客クライアント装置とがネットワークを介して接続されたことを特徴とする。
【０１１９】
このような特徴を有する音楽用データ配信システムによれば、レンタルしたＣＤやＭＤ等に付属のレーベルデータや歌詞データを、ＣＤやＭＤ等を返却後であっても、顧客のレンタル経歴に基づいてインターネット上のサイト（レンタル店サーバ装置）からダウンロード可能となる。これにより、場所や時間にとらわれることなく、以前にレンタルしたＣＤやＭＤ等のレーベルデータや歌詞データを容易に複製でき、録音済メディアを整理しやすくすることが可能となる。
【０１２０】
また、この音楽用データ配信システムは、上記の顧客クライアント装置と、レンタル店集中管理サーバ装置とがネットワークを介して接続されたことを特徴とする。
【０１２１】
このような特徴を有する音楽用データ配信システムによれば、レンタルしたＣＤやＭＤ等に付属のレーベルデータや歌詞データを、ＣＤやＭＤ等を返却後であっても、顧客のレンタル経歴に基づいてインターネット上のサイト（レンタル店集中管理サーバ装置）からダウンロード可能となる。これにより、場所や時間にとらわれることなく、以前にレンタルしたＣＤやＭＤ等のレーベルデータや歌詞データを容易に複製でき、録音済メディアを整理しやすくすることが可能となる。
【０１２２】
また、この音楽用データ配信システムは、上記のレンタル店サーバ装置とレンタル店集中管理サーバ装置とがネットワークを介して接続されているとともに、顧客クライアント装置とレンタル店集中管理サーバ装置とがネットワークを介して接続されており、前記レンタル店サーバ装置は、顧客がレンタルを行った経歴や音楽情報および顧客の個人情報を記憶する個人情報記憶手段と、前記レンタル店集中管理サーバ装置とネットワークを介して通信を行う通信手段とのみを備えており、前記顧客クライアント装置の通信手段は、前記レンタル店集中管理サーバ装置とネットワークを介して通信を行うことを特徴とする。
【０１２３】
このような特徴を有する音楽用データ配信システムによれば、各レンタル店における顧客のレンタル履歴を、レンタル店集中管理サーバ装置によって一括して管理することができるため、顧客は１カ所のサーバ（レンタル店集中管理サーバ装置）に接続することで、レンタルした履歴の一覧から、所望の歌詞データやレーベルデータをダウンロードすることが可能となる。
【０１２４】
また、この音楽用データ配信システムは、上記各構成において、前記歌詞データベースおよびレーベルデータベースに記憶されている歌詞データおよびレーベルデータが、通常の用紙サイズに印刷可能に整理、加工されていることを特徴とする。
【０１２５】
付属のレーベルは、通常、Ａ４などの一般に普及している用紙サイズではなく、また、折り畳まれて平面でないことがある。また、付属の歌詞カードも、一般に普及している用紙サイズではなく、また、通常は冊子状になっていない。そのため、顧客（ユーザ）にとっては複製しづらいものとなっている。
【０１２６】
そこで、上記のような特徴を有する本発明によれば、例えば、印刷時に予めそのサイズ（例えば、Ａ４サイズ等）に合うようなレイアウトに調整して、印刷することが可能となる。特に、歌詞カードにおいては、普段、製本等で行われているのと同様に、例えば１０ページから構成されている場合には、１ページ目と１０ページ目とを１枚の用紙に印刷するなど、後から製本しやすいように配置することにより、複製しやすくなるものである。
【０１２７】
また、この音楽用データ配信システムは、上記各構成において、店舗に備え付けられているＰＯＳ端末装置が前記レンタル店サーバ装置に接続されており、顧客がレンタル時において、レンタルした音楽媒体を前記ＰＯＳ装置において登録することにより、顧客がレンタルを行った経歴や音楽情報および顧客の個人情報がレンタル履歴として、前記レンタル店サーバ装置の個人情報記憶手段または前記レンタル店集中管理サーバ装置の個人情報集中記憶手段に記憶されることを特徴とする。
【０１２８】
このような特徴を有する音楽用データ配信システムによれば、顧客がレンタル料金の精算をしている間に、レンタル履歴としても登録されるので、レンタル直後における歌詞データやレーベルデータのダウンロードが可能となる。
【０１２９】
また、この音楽用データ配信システムは、上記各構成において、前記顧客クライアント装置が携帯端末装置であり、取得した歌詞データを携帯端末装置の表示部に表示することを特徴とする。
【０１３０】
このような特徴を有する音楽用データ配信システムによれば、携帯電話等の携帯端末装置でレンタル店側のサーバ装置に接続することにより、表示部において以前にレンタルを行った音楽媒体に対する歌詞データを確認することが可能となり、手軽に歌詞を覚えることができる。
【０１３１】
また、この音楽用データ配信システムは、上記各構成において、前記レンタル店サーバ装置または前記レンタル店集中管理サーバ装置は、前記歌詞データベースに記憶されている歌詞データに対応するカラオケ識別コードを記憶するカラオケ識別コードデータベースをさらに備え、前記顧客クライアント装置から、その顧客がレンタルを行った楽曲に対する歌詞データやレーベルデータの配信要求があったとき、前記カラオケ識別コードデータベースに記憶されている該当する楽曲の識別コード番号を併せて配信することを特徴とする。
【０１３２】
このような特徴を有する音楽用データ配信システムによれば、レンタルした曲に対する、通信カラオケ等の識別コード番号を確認することができるので、顧客（ユーザ）がカラオケ店に行った際、その識別コードを歌詞カードデータを確認しながら直接入力することが可能となり、カラオケ店に用意されている識別コード集から探し出す手間が省けるものである。
【０１３３】
また、この音楽データ配信システムは、その音楽データを配信する方法としても提供することができる。
【０１３４】
なわち、この音楽データ配信方法は、レンタル店サーバ装置と顧客クライアント装置とがネットワークを介して接続されたシステムにより、顧客がレンタルを行った楽曲に対する歌詞データやレーベルデータをレンタル店サーバ装置から顧客クライアント装置に配信する音楽用データ配信方法であって、顧客がレンタルを行った経歴や音楽情報および顧客の個人情報をレンタル店サーバ装置の個人情報記憶手段に記憶する手順と、レンタルを行った楽曲に対する歌詞データおよびレーベルデータの配信要求が顧客クライアント端末から送信されてきたとき、前記個人情報記憶手段に記憶されている個人情報に基づき、歌詞データベースおよびレーベルデータベースから該当する楽曲の歌詞データおよびレーベルデータを読み出して顧客クライアント端末に送信する手順とを備えたことを特徴とする。
【０１３５】
また、この音楽用データ配信方法は、レンタル店サーバ装置と顧客クライアント装置とがネットワークを介して接続されたシステムにより、顧客がレンタルを行った楽曲に対する歌詞データやレーベルデータをレンタル店サーバ装置から顧客クライアント装置に配信する音楽用データ配信方法であって、顧客がレンタルを行った経歴や音楽情報および顧客の個人情報をレンタル店サーバ装置の個人情報記憶手段に記憶する手順と、前記個人情報記憶手段に記憶されている個人情報の中の楽曲名の一覧を顧客クライアント端末により取得する手順と、取得した楽曲名の一覧の中から少なくとも１つの楽曲名を選択してレンタル店サーバ装置に送信する手順と、選択された楽曲名に対応する歌詞データおよびレーベルデータを、レンタル店サーバ装置の歌詞データベースおよびレーベルデータベースから読み出して顧客クライアント端末に送信する手順とを備えたことを特徴とする。
【０１３６】
また、この音楽用データ配信方法は、各レンタル店の情報を集中して管理するレンタル店集中管理サーバ装置と顧客クライアント装置とがネットワークを介して接続されたシステムにより、顧客が各レンタル店でレンタルを行った楽曲に対する歌詞データやレーベルデータをレンタル店集中管理サーバ装置から顧客クライアント装置に配信する音楽用データ配信方法であって、顧客がレンタルを行った経歴や音楽情報および顧客の個人情報をレンタル店集中管理サーバ装置の個人情報記憶手段に記憶する手順と、レンタルを行った楽曲に対する歌詞データおよびレーベルデータの配信要求が顧客クライアント端末から送信されてきたとき、前記個人情報記憶手段に記憶されている個人情報に基づき、歌詞データベースおよびレーベルデータベースから該当する楽曲の歌詞データおよびレーベルデータを読み出して顧客クライアント端末に送信する手順とを備えたことを特徴とする。
【０１３７】
また、この音楽用データ配信方法は、各レンタル店の情報を集中して管理するレンタル店集中管理サーバ装置と顧客クライアント装置とがネットワークを介して接続されたシステムにより、顧客がレンタルを行った楽曲に対する歌詞データやレーベルデータをレンタル店集中管理サーバ装置から顧客クライアント装置に配信する音楽用データ配信方法であって、顧客が各レンタル店でレンタルを行った経歴や音楽情報および顧客の個人情報をレンタル店集中管理サーバ装置の個人情報記憶手段に記憶する手順と、前記個人情報記憶手段に記憶されている個人情報の中の楽曲名の一覧を顧客クライアント端末により取得する手順と、取得した楽曲名の一覧の中から少なくとも１つの楽曲名を選択してレンタル店集中管理サーバ装置に送信する手順と、選択された楽曲名に対応する歌詞データおよびレーベルデータを、レンタル店集中管理サーバ装置の歌詞データベースおよびレーベルデータベースから読み出して顧客クライアント端末に送信する手順とを備えたことを特徴とする。
【０１３８】
また、上記の音楽用データ配信方法は、その配信方法プログラムを記録した記録媒体としても提供することができる。
【０１３９】
すなわち、この音楽用データ配信プログラムを記録した記録媒体は、レンタル店サーバ装置と顧客クライアント装置とがネットワークを介して接続されたシステムにより、顧客がレンタルを行った楽曲に対する歌詞データやレーベルデータをレンタル店サーバ装置から顧客クライアント装置に配信する音楽用データ配信プログラムを記録したコンピュータ読み取り可能な記録媒体であって、顧客がレンタルを行った経歴や音楽情報および顧客の個人情報をレンタル店サーバ装置の個人情報記憶手段に記憶するステップと、レンタルを行った楽曲に対する歌詞データおよびレーベルデータの配信要求が顧客クライアント端末から送信されてきたとき、前記個人情報記憶手段に記憶されている個人情報に基づき、歌詞データベースおよびレーベルデータベースから該当する楽曲の歌詞データおよびレーベルデータを読み出して顧客クライアント端末に送信するステップとを備えたことを特徴とする。
【０１４０】
また、この音楽用データ配信プログラムを記録した記録媒体は、上記構成において、前記顧客クライアント装置から、その顧客がレンタルを行った楽曲に対する歌詞データやレーベルデータの配信要求があったとき、前記レンタル店サーバ装置のカラオケ識別コードデータベースに記憶されている該当する楽曲の識別コード番号を併せて配信するステップをさらに備えたことを特徴とする。
【０１４１】
また、この音楽用データ配信プログラムを記録した記録媒体は、レンタル店集中管理サーバ装置と顧客クライアント装置とがネットワークを介して接続されたシステムにより、顧客がレンタルを行った楽曲に対する歌詞データやレーベルデータをレンタル店集中管理サーバ装置から顧客クライアント装置に配信する音楽用データ配信プログラムを記録したコンピュータ読み取り可能な記録媒体であって、顧客がレンタルを行った経歴や音楽情報および顧客の個人情報をレンタル店集中管理サーバ装置の個人情報記憶手段に記憶するステップと、レンタルを行った楽曲に対する歌詞データおよびレーベルデータの配信要求が顧客クライアント端末から送信されてきたとき、前記個人情報記憶手段に記憶されている個人情報に基づき、歌詞データベースおよびレーベルデータベースから該当する楽曲の歌詞データおよびレーベルデータを読み出して顧客クライアント端末に送信するステップとを備えたことを特徴とする。
【０１４２】
また、この音楽用データ配信プログラムを記録した記録媒体は、上記構成において、前記顧客クライアント装置から、その顧客がレンタルを行った楽曲に対する歌詞データやレーベルデータの配信要求があったとき、前記レンタル店集中管理サーバ装置のカラオケ識別コードデータベースに記憶されている該当する楽曲の識別コード番号を併せて配信するステップをさらに備えたことを特徴とする。
【０１４３】
効果として、ごれらの音楽用データ配信システムおよび音楽用データ配信方法によれば、レンタルしたＣＤやＭＤ等に付属のレーベルデータや歌詞データを、ＣＤやＭＤ等を返却後であっても、顧客のレンタル経歴に基づいてインターネット上のサイトであるレンタル店サーバ装置からダウンロードすることができる。
【０１４４】
これにより、場所や時間にとらわれることなく、以前にレンタルしたＣＤやＭＤ等のレーベルデータや歌詞データを容易に複製できるため、録音済メディアの整理がしやすくなるものである。
【０１４５】
また、これらの音楽用データ配信システムおよび音楽用データ配信方法によれば、レンタルしたＣＤやＭＤ等に付属のレーベルデータや歌詞データを、ＣＤやＭＤ等を返却後であっても、顧客のレンタル経歴に基づいてインターネット上のサイトであるレンタル店集中管理サーバ装置からダウンロードすることができる。
【０１４６】
これにより、場所や時間にとらわれることなく、以前にレンタルしたＣＤやＭＤ等のレーベルデータや歌詞データを容易に複製できるため、録音済メディアの整理がしやすくなるものである。
【０１４７】
また、これらの音楽用データ配信システムおよび音楽用データ配信方法によれば、各レンタル店における顧客のレンタル履歴を、レンタル店集中管理サーバ装置によって一括して管理することができるため、顧客は１カ所に設けられたレンタル店集中管理サーバ装置に接続することで、レンタルした履歴の一覧から、所望の歌詞データやレーベルデータをダウンロードすることができる。
【０１４８】
また、この音楽用データ配信システムおよび音楽用データ配信方法によれば、歌詞データベースおよびレーベルデータベースに記憶されている歌詞データおよびレーベルデータが、通常の用紙サイズに印刷可能に整理、加工されているので、印刷時に予め所定のサイズ（例えば、Ａ４サイズ等）に合うようなレイアウトに調整して、印刷することができる。
【０１４９】
また、これらの音楽用データ配信システムおよび音楽用データ配信方法によれば、顧客がレンタル時において、レンタルした音楽媒体をＰＯＳ装置において登録することにより、顧客がレンタルを行った経歴や音楽情報および顧客の個人情報がレンタル履歴として、レンタル店サーバ装置またはレンタル店集中管理サーバ装置の個人情報記憶手段に記憶される構成としたので、顧客がレンタル料金の精算をしている間に、レンタル履歴としても登録されるため、レンタル直後において歌詞データやレーベルデータのダウンロードが可能となる。
【０１５０】
また、これらの音楽用データ配信システムおよび音楽用データ配信方法によれば、顧客クライアント装置として携帯端末装置を使用し、取得した歌詞データをこの携帯端末装置の表示部に表示する構成とした場合には、携帯端末装置の表示部において以前にレンタルを行った音楽媒体に対する歌詞データを確認することが可能となり、手軽に歌詞を覚えることができる。
【０１５１】
また、これらの音楽用データ配信システムおよび音楽用データ配信方法によれば、歌詞データベースに記憶されている歌詞データに対応するカラオケ識別コードを記憶するカラオケ識別コードデータベースをさらに備え、顧客クライアント装置から、その顧客がレンタルを行った楽曲に対する歌詞データやレーベルデータの配信要求があったとき、カラオケ識別コードデータベースに記憶されている該当する楽曲の識別コード番号を併せて配信する構成としている。
【０１５２】
これにより、レンタルした曲に対する通信カラオケ等の識別コード番号を確認することができるので、顧客がカラオケ店に行った際、その識別コードを歌詞カードデータを確認しながら直接入力することが可能となり、カラオケ店に用意されている識別コード集から探し出す手間を省くことができる。
【０１５３】
また、従来技術として、特開２００２−２２２３３０号公報がある（特許文献６参照。）。
【０１５４】
これは、記憶媒体の挿入によりシステムを自動立上げし、複数のサイトのサービス情報のネットワークを介した購入を迅速に実現すると共に、情報の購入を端末単位でなくユーザ単位で管理して不正使用をなくす記憶媒体及び該記憶媒体を用いた取引方法とシステムを提供する。
【０１５５】
画像や音楽、音声、文書、プログラムなどのサービス情報を大量かつ高速に扱うことができるネットワークを含むシステムであり、ネットワーク上に、複数サイトのサービス情報をグループで提供する機能を有するサーバが設けられ、少なくとも情報を記憶する情報記憶領域を有する着脱可能な記憶媒体に、ネットワークを介してサービス情報提供機能を有する前記サーバと通信するプログラムと、購買するサービス情報をグループで管理する管理プログラムとが記憶されており、前記記憶媒体をネットワーク上にあるコンピュータ等の情報処理装置に接続し、前記サービス情報の購入が確認された場合に、前記サーバから前記記憶媒体にグループ単位で前記サービス情報がダウンロードされて記憶管理される。
【０１５６】
これは記憶媒体及び該記憶媒体を用いた取引方法とシステム、特に、光ディスクやその他の記憶媒体の挿入によりシステムを自動立上げすると共に、種々のサービス情報の取引を提供する記憶媒体及び該記憶媒体を用いた取引方法とシステムに関するものである。
【０１５７】
従来の技術として、近年、ネットワークを介した情報交換やサービスの提供、あるいは電子商取引などが活発になり、メニューをワンタッチするだけでネットワークへの接続が可能なサービスも提供されるようになった。
【０１５８】
この場合、ネットワークを介してサービスされるサービス情報を購入する時は、クレジットカードの番号などを入力して認証をうけると、サーバからネットワークを介してサービス情報がダウンロードされ、ディスクなどの不揮発性メモリに格納されるように制御される。
【０１５９】
また、サービス情報を提供する複数のサイトをリンクして、１つの統合されたショッピングを可能とすることも行われるようになった。
【０１６０】
例えば、サーバに複数のサイトをリンクするサイト間リンケージ機能を持たせ、あたかも複数のサイトを１つの統合されたショッピング・カート（Ｃａｒｔ）でショッピングするようにする。
【０１６１】
しかしながら、上記統合されたショッピング・カートの例では、クライアントの端末が１つのカートに相当するため、購入したサービス情報は一旦端末にダウンロードした後に各ユーザが所有する媒体にコピーすることになる。
【０１６２】
従って、ショッピングサイト側ではサービス情報が複数のユーザに不正使用される懸念が解消されず、一方ユーザ側ではサービス情報の購入に余分な煩わしい操作が要求される。
【０１６３】
このため、従来の多くのショッピング・カート方式では、上記機能を提供するのはサイト側のみで、クライアント端末においてはサーバから提供される各ショピミングサイトの商品の表示と、商品の選択・注文の指示機能に限られていた。
【０１６４】
課題は、記憶媒体の挿入によりシステムを自動立上げし、複数のサイトのサービス情報のネットワークを介した購入を迅速に実現すると共に、情報の購入を端末単位でなくユーザ単位で管理して不正使用をなくす記憶媒体及び該記憶媒体を用いた取引方法とシステムを提供する。
【０１６５】
この課題を解決するために、この取引方法は、画像や音楽、音声、文書、プログラムなどのサービス情報を大量かつ高速に扱うことができるネットワークを含むシステムでの取引方法であって、ネットワーク上に、複数サイトのサービス情報をグループで提供する機能を有するサーバが設けられ、少なくとも情報を記憶する情報記憶領域を有する着脱可能な記憶媒体に、ネットワークを介してサービス情報提供機能を有する前記サーバと通信するプログラムと、購買するサービス情報をグループで管理する管理プログラムとが記憶されており、前記記憶媒体をネットワーク上にあるコンピュータ等の情報処理装置に接続し、前記サービス情報の購入が確認された場合に、前記サーバから前記記憶媒体にグループ単位で前記サービス情報がダウンロードされて記憶管理されることを特徴とする。
【０１６６】
ここで、前記サービス情報は、予め記憶媒体の読出し専用領域又は書込み可能領域に記憶されている。また、前記サービス情報の購買は、前記情報処理装置にグループ購買を表すカートへの搭載として表示される。
【０１６７】
又、この取引システムは、画像や音楽、音声、文書、プログラムなどのサービス情報を大量かつ高速に扱うことができるネットワークを含む取引システムであって、ネットワーク上に設けられた、複数サイトのサービス情報をグループで提供する機能を有するサーバと、ネットワークを介してサービス情報提供機能を有する前記サーバと通信するプログラムと、購買するサービス情報をグループで管理する管理プログラムとが記憶された、少なくとも情報を記憶する情報記憶領域を有する着脱可能な記憶媒体と、前記記憶媒体が接続され、前記サービス情報の購入が確認された場合に、前記サーバから前記記憶媒体にグループ単位で前記サービス情報をダウンロードして記憶管理するネットワーク上にあるコンピュータ等の情報処理装置とを有することを特徴とする。
【０１６８】
ここで、前記記憶媒体は、予め記憶媒体の読出し専用領域又は書込み可能領域に前記サービス情報を記憶している。また、前記情報処理装置は、前記サービス情報の購買をグループ購買を表すカートへの搭載として表示する。
【０１６９】
又、このサーバは、画像や音楽、音声、文書、プログラムなどのサービス情報を大量かつ高速に扱うことができるネットワークを含む取引システムのサーバであって、ネットワーク上に設けられて、複数サイトのサービス情報をグループで管理する手段と、ネットワークを介してサービス情報提供機能を有する前記サーバと通信するプログラムと、購買するサービス情報をグループで管理する管理プログラムとが記憶された、少なくとも情報を記憶する情報記憶領域を有する着脱可能な記憶媒体接続され、前記サービス情報の購入が確認された場合に、前記サーバから前記記憶媒体にグループ単位で前記サービス情報をダウンロードして記憶管理するネットワーク上にあるコンピュータ等の情報処理装置と通信する手段とを有することを特徴とする。
【０１７０】
又、この記憶媒体は、画像や音楽、音声、文書、プログラムなどのサービス情報を大量かつ高速に扱うことができるネットワークを含むシステムで使用される着脱可能な記憶媒体であって、ネットワークを介してサービス情報提供機能を有する前記サーバと通信するプログラムと、購買するサービス情報をグループで管理する管理プログラムとが記憶された、少なくとも情報を記憶する情報記憶領域を有し、前記ネットワーク上にあるコンピュータ等の情報処理装置と接続され、前記サービス情報の購入が確認された場合に、ネットワーク上に設けられた、複数サイトのサービス情報をグループで提供する機能を有するサーバからグループ単位で前記サービス情報をダウンロードして記憶管理することを特徴とする。
【０１７１】
ここで、前記記憶媒体は、予め記憶媒体の読出し専用領域又は書込み可能領域に前記サービス情報を記憶している。また、前記情報処理装置が、前記サービス情報の購買をグループ購買を表すカートへの搭載として表示するプログラムを含む。また、前記記憶媒体は、ＣＤ、ＤＶＤ、カード型ＣＤ等の光ディスクや、光磁気ディスク、半導体メモリ、ＩＣカード、スマートカード、コンパクトフラッシュ（登録商標）カード等のカードなどから選ばれる。
【０１７２】
効果として、記憶媒体の挿入によりシステムを自動立上げし、複数のサイトのサービス情報のネットワークを介した購入を迅速に実現すると共に、情報の購入を端末単位でなくユーザ単位で管理して不正使用をなくす記憶媒体及び該記憶媒体を用いた取引方法とシステムを提供できる。
【０１７３】
また、従来技術として、特開２００２−２４５２６３号公報がある（特許文献７参照。）。
【０１７４】
従来から、インターネット等で音楽、画像、映画、ゲーム等のプログラムをダウンロードして楽しむことは行われてきたが、これらプログラムのダウンロードを捕捉して課金システムを構築しないと著作権の問題が生じて普及しなくなる課題があった。
【０１７５】
ロックされて観賞不能な音楽等のプログラムをインターネット等を介してアクセスしたユーザーに配信する段階と、予めユーザーに渡した特定の携帯電話によるキーワード等のオープンキー入力に基づいて前記観賞不能なプログラムのロックを解除する段階とからなるインターネット等を利用した音楽等の配信システム。
【０１７６】
従来から、インターネット等で音楽、画像、映画、ゲーム等のプログラムをダウンロードして楽しむことは行われてきたが、これらプログラムのダウンロードを捕捉して課金システムを構築しないと著作権の問題が生じて普及しなくなる課題があった。
【０１７７】
そこで、本発明は、ロックされて観賞不能な音楽等のプログラムをインターネット等を介してアクセスしたユーザーに配信する段階と、予めユーザーに渡した特定の携帯電話によるキーワード入力に基づいて前記観賞不能なプログラムのロックを解除する段階とからなるインターネット等を利用した音楽等の配信システムを提供するものである。
【０１７８】
係る音楽等の配信システムよれば、著作権者から入手した音楽等を、ロックされて観賞不能な形態でインターネット等を介してアクセスしたユーザーに配信すると共に、そのプログラムを、予めユーザーに渡した特定の携帯電話によってオープンキーが入力されると初めて、ロックを解除して観賞することができる構成を有するから、例えば、ユーザー登録して携帯電話を入手したものだけに音楽等を配信することができ、課金することができるから、著作権等の問題も生じることなく、広く普及させることができる。
【０１７９】
実施例において、１０は本発明に係る音楽等を配信するシステムサーバーで、音楽等は音楽プロダクション等の供給元１１からインターネット等を通じて入手する。入手した音楽等のプログラムは、ホストコンピューター１５にキーワード等によりロックされて収容される。また、この入手した音楽等のプログラムは、インターネットのホームページ等を通じて検索可能且つ選択可能に宣伝され、観賞不能にロックくした状態で、アクセスしたユーザー１２等のパソコン等のコンピューター端末１３にダウンロード可能に配信される。
【０１８０】
他方、ユーザー１２は、インターネットのホームページ等に表示された説明に従って、予め会員登録して特定の携帯電話１４を入手し、その携帯電話で本システムサーバー１０にアクセスして、特定のキーワードとＩＤ番号等からなるオープンキーを入力し、本システムサーバー１０のホストコンピュータ１５からオープンキーに基づいて提供される解除プログラムをダウンロードして初めて、先にダウンロードした観賞不能の音楽等をロック解除して観賞することができるように構成してある。
【０１８１】
ユーザー１２は、ステップ１でインターネット等を介して住所、氏名、ｅ−メイル番号、クレジット番号等の会員登録をし、ステップ２でロック解除用の携帯電話１４を入手し、ステップ３においてその携帯電話又は他のパソコン１３等によりインターネットを介して本システムサーバー１０にアクセスして、ステップ４に記載のように、ロックされて観賞不能な音楽等をダウンロードし、ステップ５においてロック解除用の携帯電話１４により本システムサーバー１０にアクセスし、ステップ６に記載のように、その携帯電話及びダウンロードしたプログラムに特定されたキーワード、ＩＤ番号等からなるオープンキーを入力すると、ステップ７のように、解除プログラムが入手でき、ステップ８のように、ロックを解除してダウンロードした音楽等のプログラムを観賞することができる。
【０１８２】
効果として、以上の通り、係るインターネット等を利用した音楽等の配信システムによれば、ロックされて観賞不能な音楽等のプログラムをインターネット等を介してアクセスしたユーザーに配信する段階と、予めユーザーに渡した特定の携帯電話によるキーワード入力に基づいて前記観賞不能なプログラムのロックを解除する段階とからなる構成を有することにより、著作権者から入手した音楽等を、ロックされて観賞不能な形態でインターネット等を介してアクセスしたユーザーに配信すると共に、そのプログラムを、予めユーザーに渡した特定の携帯電話によってオープンキーが入力されると初めて、ロックを解除してユーザーは観賞することができるから、例えば、ユーザー登録して携帯電話を入手したものだけに音楽等を配信することができ、課金することもできるから、著作権等の侵害の問題も生じることなく、広く最新の音楽等を普及させることができる効果がある。
【０１８３】
また、小さなマーケットでも本システムは成り立ち、販売リスクの低減が計られ、レコード会社やプロダクションも音楽等の直販ができ、販売コストの削減ができる効果があり、ユーザーはいち早く最新の音楽等を入手することができる効果がある。また、特定の携帯電話による本発明システムサーバーを介してのチケットの販売等も併せて可能であるから、ユーザーの携帯電話による通話料をキックバックして低減することもできる効果がある。
【０１８４】
【特許文献１】
特開２００２−８２６７４号公報（段落［０００１］〜［０００５］）
【特許文献２】
特開２００２−９９２８３号公報（段落［０００１］〜［０００５］，および［００３３］）
【特許文献３】
特開２００２−１０８７４７号公報（段落［０００３］〜［０００９］，および［００２８］）
【特許文献４】
特開２００２−１８９４８０号公報（段落［０００１］〜［００１３］，および［００３９］〜［００４１］）
【特許文献５】
特開２００２−２０７４９０号公報（段落［０００１］〜［００３９］，および［００８７］〜［００９３］）
【特許文献６】
特開２００２−２２２３３０号公報（段落［０００１］〜［００１０］、および［００４２］）
【特許文献７】
特開２００２−２４５２６３号公報（段落［０００２］〜［０００９］）
【０１８５】
【発明が解決しようとする課題】
上述した従来の音楽配信システムと方法は、
第１の問題点は、音楽データを一括して、しかも手軽に入手することはできなかった。
【０１８６】
その理由は、音楽配信・情報提供・購入までの手段を一括して備えたシステムがなかったからである。
【０１８７】
第２の問題点は、外出せずに音楽データを入手するには制限があった。
【０１８８】
その理由は、レンタル店にてレンタルしたことのある音楽媒体についてはネットワーク経由で手に入れられるが、顧客は一度レンタル店に行かなくてはならない、また、レンタル店に行っても欲しい音楽ＣＤを見つけられず、曲名等を思い出せずに帰ってきてしまう可能性があること、さらに、顧客によってはレンタル店まで車や電車が必要な場合もあり、交通費を使わなくては音楽データを入手できないことである。
【０１８９】
第３の問題点は、複数のサイトのサービス情報において、ネットワークを介した購入を迅速に実現できるが、サーバから即時に購入した音楽デジタルデータを購入済みの場合、ショッピングサイトから音楽ＣＤを購入する際に割引が行われるサービスが付加できない、また、顧客の購買意欲も促進されない。
【０１９０】
その理由は、音楽データを、即時に購入をすることを、ショッピング提携システムでインターネットショッピングサイトと提携を図ってないからであり、また、配信サーバから即時に購入した音楽デジタルデータの購買履歴がどこにも残っていないからである。
【０１９１】
第４の問題点は、ロックされて観賞不能な音楽等のプログラムをインターネット等を介してアクセスしたユーザーに配信する段階と、予めユーザーに渡した特定の携帯電話によるキーワード等のオープンキー入力に基づいて前記観賞不能なプログラムのロックを解除する段階とからなるインターネット等を利用した音楽等の配信システムでは、音楽データの暗号化を解除する際に使用される「ＩＤ」をユーザが入力する必要がある。
【０１９２】
その理由は、サーバとクライアントの連携により管理されてないからである。
【０１９３】
第５の問題点は、インターネット・ｉモードを使ってメディアで流れている音楽を放送局・放送日・放送時間などから検索し注文・購入できるシステムがあるが、放送局・放送日・放送時間などを入力する必要がある。
【０１９４】
その理由は、ユーザが「今聴いている音楽」の購入をサーバとクライアントの連携によりユーザが特別に意識することなしに購入できるように管理されてないからである。
【０１９５】
第６の問題点は、インターネット等のネットワークを利用した音楽配信において、音楽配信用のサーバに端末上のブラウザ等で接続したユーザが未知の楽曲の中から自分の好みに合った楽曲を見つけ出しやすくするための音楽配信システムはあるが、音楽配信システムが今流している音楽データを一括して、入手することはできなかった。
【０１９６】
その理由は、音楽配信・情報提供・購入までの手段を一括して備えたシステムがなかったからである。
【０１９７】
第７の問題点は、回数制限を指定して、ネットワークから配信される情報、またはダウンロードした音楽等のマルチメディアコンテンツを楽しむことができるが、配信される情報、またはダウンロードした音楽等は、無料でユーザは入手できてしまうことである。
【０１９８】
その理由は、回数制限以内に保存してしまうことができるからである。
【０１９９】
本発明の目的は、インターネットを介して基本的に無料のサービスでありながら、安価にすばやく音楽データを提供することができ、消費者の潜在的ニーズを掘り起こすことができるＰＵＳＨ型ストリーミング音楽配信システムにおける即時対応型購入システム及び時限式ＩＤ管理サーバシステムを利用してデジタル音楽データの販売を行なうシステムと方法およびプログラムを提供することにある。
【０２００】
【課題を解決するための手段】
第１の発明のＰＵＳＨ型ストリーミング音楽配信システムにおける即時対応型購入システム及び時限式ＩＤ管理サーバシステムを利用してデジタル音楽データの販売を行なうシステムは、インターネットを介して、ユーザ端末と、音楽配信サーバと、会員情報データベースと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにする。
【０２０１】
また、第２の発明のＰＵＳＨ型ストリーミング音楽配信システムにおける即時対応型購入システム及び時限式ＩＤ管理サーバシステムを利用してデジタル音楽データの販売を行なうシステムは、インターネットを介して、ユーザ端末と、音楽配信サーバと、会員情報データベースと、音楽配信サーバを保有する音楽の提供側と提携したショッピングサイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ショッピングサイトは、インターネットに接続され、ＣＤを販売し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにする。
【０２０２】
また、第３の発明のＰＵＳＨ型ストリーミング音楽配信システムにおける即時対応型購入システム及び時限式ＩＤ管理サーバシステムを利用してデジタル音楽データの販売を行なうシステムは、インターネットを介して、ユーザ端末と、音楽配信サーバと、会員情報データベースと、音楽配信サーバを保有する音楽の提供側と提携したショッピングサイトと、音楽配信サーバからＣＭで流れている商品の情報の提供サイトであるＣＭ商品情報サイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ショッピングサイトは、インターネットに接続され、ＣＤを販売し、
ＣＭ商品情報サイトは、音楽配信サーバからＣＭで流れている商品の情報の提供元のサイトであり、音楽配信サーバは、対応するＣＭ商品情報を音楽配信サーバ内に持ってなければインターネット上のＣＭ商品情報サイトから対応するＣＭ商品情報を呼び出し、クライアントソフトに配信し、利用者はＣＭ商品を購入し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにする。
【０２０３】
また、第４の発明のＰＵＳＨ型ストリーミング音楽配信システムにおける即時対応型購入システム及び時限式ＩＤ管理サーバシステムを利用してデジタル音楽データの販売を行なうシステムは、インターネットを介して、ユーザ端末と、音楽配信サーバと、会員情報データベースと、音楽配信サーバからＣＭで流れている商品の情報の提供サイトであるＣＭ商品情報サイトと、を接続し、ユーザ端末の中で動作するデジタル音楽データ再生用のクライアントソフトと、を備え、
クライアントソフトは、音楽配信サーバとインターネットを介して情報のやり取りを行ない、配信デジタル音楽データの再生、音楽情報の取得、表示、購入処理、購入データのダウンロードを一括して行なう機能を備え、
音楽配信サーバは、インターネットに接続され、クライアントソフトをユーザ端末に提供し、音楽や情報の配信機能、ＩＤ生成機能、デジタル音楽データの暗号化機能を備え、インターネットを介し、または直に会員情報データベースと接続され、
音楽配信サーバは、配信デジタル音楽データおよびデジタル音楽データと連動する情報を登録し、配信し、配信デジタル音楽データの曲変更毎および一定時間ごとに新しくＩＤ情報を生成し、クライアントソフトへ配信し、
会員情報データベースには、利用者の個人情報、決済情報、利用者が購入したデジタル音楽データ購入履歴を保持し、
ＣＭ商品情報サイトは、音楽配信サーバからＣＭで流れている商品の情報の提供元のサイトであり、音楽配信サーバは、対応するＣＭ商品情報を音楽配信サーバ内に持ってなければインターネット上のＣＭ商品情報サイトから対応するＣＭ商品情報を呼び出し、クライアントソフトに配信し、利用者はＣＭ商品を購入し、
クライアントソフトは音楽配信サーバから配信されたデジタル音楽データに含まれるＩＤ情報を取得し、折り返し音楽配信サーバに問い合わせを行ない、音楽配信サーバの保持するＩＤ情報と、配信されたデータに含まれるＩＤ情報が一致した場合のみ、音楽配信サーバは暗号解除キーをクライアントソフトに送信し、デジタル音楽データ配信を開始し、
クライアントソフトは暗号解除キーを用い、音楽配信サーバから配信されたデジタル音楽データのストリーミング再生を行ない、再生終了後にバッファに蓄えたデータを削除し、音楽配信サーバに保持されているＩＤ情報に対応したＩＤ情報保持期間のみデジタル音楽データのストリーミング再生を行なうようにする。
【０２０４】
また、第５の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信する。
【０２０５】
また、第６の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示する。
【０２０６】
また、第７の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示し、ブックマークに登録する。
【０２０７】
また、第８の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示する。
【０２０８】
また、第９の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示し、ブックマークに登録する。
【０２０９】
また、第１０の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽に対応するデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する。
【０２１０】
また、第１１の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がブックマークに登録したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する。
【０２１１】
また、第１２の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽情報の検索条件を、インターネットを介して音楽配信サーバに送信し、音楽配信サーバはクライアントソフトから送信された音楽情報の検索条件をキーとして音楽情報の検索を行ない、検索結果をクライアントソフトへ通知し、クライアントソフトは利用者が選択したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する。
【０２１２】
また、第１３の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品音楽情報配信中、音楽配信サーバにＣＭ商品音楽情報の請求を行ない、請求を受けた音楽配信サーバは、現在配信中のＣＭ商品音楽情報をクライアントソフトに配信し、クライアントソフトは受け取ったＣＭ商品音楽情報を、ユーザ端末の出力を用いて表示し、デジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の登録を行い、音楽配信サーバは、利用者の決済情報を元に、決済処理を開始し、デジタル音楽データを購入する。
【０２１３】
また、第１４の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する。
【０２１４】
また、第１５の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する。
【０２１５】
また、第１６の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する。
【０２１６】
また、第１７の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、決済処理を行ない、クライアントソフト通知し、ＣＭ商品購入する。
【０２１７】
また、第１８の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する。
【０２１８】
また、第１９の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する。
【０２１９】
また、第２０の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する。
【０２２０】
また、第２１の発明のＰＵＳＨ型ストリーミング音楽配信システムにおける即時対応型購入システム及び時限式ＩＤ管理サーバシステムを利用してデジタル音楽データの販売を行なう方法は、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、デジタル音楽データ購入履歴にデジタル音楽データ購入済実績記録がある場合はＣＤ購入割引決済処理を行ない、クライアントソフト通知し、ＣＭ商品購入する。
【０２２１】
また、第２２の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信する処理をコンピュータに実行させる。
【０２２２】
また、第２３の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示する処理をコンピュータに実行させる。
【０２２３】
また、第２４の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、音楽配信サーバに音楽情報請求を行ない、請求を受けた音楽配信サーバは、現在配信中の音楽に関する情報をクライアントソフトに配信し、クライアントソフトは受け取った情報を、ユーザ端末の出力を用いて表示し、ブックマークに登録する処理をコンピュータに実行させる。
【０２２４】
また、第２５の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示する処理をコンピュータに実行させる。
【０２２５】
また、第２６の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、現在配信中のＣＭ商品情報をクライアントソフトに配信し、クライアントソフトは受け取ったＣＭ商品情報を、ユーザ端末の出力を用いて表示し、ブックマークに登録する処理をコンピュータに実行させる。
【０２２６】
また、第２７の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽に対応するデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させる。
【０２２７】
また、第２８の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がブックマークに登録したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させる。
【０２２８】
また、第２９の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽情報の検索条件を、インターネットを介して音楽配信サーバに送信し、音楽配信サーバはクライアントソフトから送信された音楽情報の検索条件をキーとして音楽情報の検索を行ない、検索結果をクライアントソフトへ通知し、クライアントソフトは利用者が選択したデジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の保存を行い、音楽配信サーバは、利用者の決済情報を元に、決済処理を開始し、デジタル音楽データを購入する処理をコンピュータに実行させる。
【０２２９】
また、第３０の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品音楽情報配信中、音楽配信サーバにＣＭ商品音楽情報の請求を行ない、請求を受けた音楽配信サーバは、現在配信中のＣＭ商品音楽情報をクライアントソフトに配信し、クライアントソフトは受け取ったＣＭ商品音楽情報を、ユーザ端末の出力を用いて表示し、デジタル音楽データ購入依頼を発信し、音楽配信サーバは会員情報データベースに、決済情報の問い合わせを行ない、会員情報データベースは利用者の決済情報照会結果を音楽配信サーバに送り返し、決済情報の照会が完了した時点で、音楽配信サーバはクライアントソフトに対し、デジタル音楽データの送信を開始し、デジタル音楽データは、ストリーミングで配信されるデジタル音楽データとは別に処理され、ユーザ端末にデジタル音楽データを保存し、会員情報データベースにデジタル音楽データ購入履歴の登録を行ない、会員情報データベースはデジタル音楽データ購入履歴の登録を行い、音楽配信サーバは、利用者の決済情報を元に、決済処理を開始し、デジタル音楽データを購入する処理をコンピュータに実行させる。
【０２３０】
また、第３１の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させる。
【０２３１】
また、第３２の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させる。
【０２３２】
また、第３３の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、決済処理を行ない、クライアントソフト通知し、ＣＤを購入する処理をコンピュータに実行させる。
【０２３３】
また、第３４の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、決済処理を行ない、クライアントソフト通知し、ＣＭ商品購入する処理をコンピュータに実行させる。
【０２３４】
また、第３５の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者がストリーミング音楽が含まれるＣＤを購入したいと考えた場合、インターネットを介して音楽配信サーバに、音楽ＣＤ購入依頼を発信し、音楽配信サーバは現在配信中のストリーミング音楽に対応する音楽情報を、ショッピングサイトに渡し、ショッピングサイトは対応のＣＤ検索を行ない、検索結果をクライアントソフトに送信し、クライアントソフトは検索結果を表示し、ＣＤを選び、購入ボタンをクリックし、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させる。
【０２３５】
また、第３６の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が以前ブックマークした音楽情報の表示を希望した場合、クライアントソフトは保存されていたブックマーク情報をキーとして、インターネットを介して音楽配信サーバへ音楽情報配信請求を行ない、音楽配信サーバはクライアントソフトから受け取った音楽情報を、インターネットを介してショッピングサイトに渡し、ショッピングサイトは音楽情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させる。
【０２３６】
また、第３７の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング配信中、利用者が購入したい音楽に関する情報を、クライアントソフトに入力し、クライアントソフトは利用者から入力された音楽ＣＤ情報の検索条件を、インターネットを介して音楽配信サーバに送信し、音楽配信サーバはクライアントソフトから受け取った音楽ＣＤ情報を、インターネットを介してショッピングサイトに渡し、ショッピングサイトは音楽ＣＤ情報からＣＤを検索し、検索結果をクライアントソフトに送信し、クライアントソフトは検索結果を表示し、音楽情報を見て、利用者がその音楽が含まれるＣＤの購入を決定し、ショッピングサイトに購入を指示し、ショッピングサイトは、利用者の決済情報及びデジタル音楽データ購入履歴を会員情報データベースに問い合わせ、会員情報データベースは問い合わせ結果をショッピングサイトへ返送し、ショッピングサイトは照会された決済情報を元に、デジタル音楽データ購入履歴にデジタル音楽データ購入済実績記録がある場合はＣＤ購入割引決済処理を行ない、クライアントソフト通知し、ＣＤを購入する処理をコンピュータに実行させる。
【０２３７】
また、第３８の発明のプログラムは、ＰＵＳＨ型ストリーミング音楽配信システムにおける即時対応型購入システム及び時限式ＩＤ管理サーバシステムを利用してデジタル音楽データの販売を行なうシステムにおけるデジタル音楽データの販売を行なう処理において、ユーザ端末は音楽配信サーバにアクセスし、利用者の個人情報と決済情報を入力し、音楽配信サーバは個人情報と決済情報をユーザ端末から受信し、利用者を会員情報データベースに会員として登録するために会員情報データベースにアクセスし、会員情報データベースは個人情報と決済情報からなる会員情報を会員情報データベースに登録し、音楽配信サーバはユーザ端末にクライアントソフトを提供し、ユーザ端末はクライアントソフトを音楽配信サーバからダウンロードし、ユーザ端末上でクライアントソフトを実行し、配信を希望する番組の設定を行ない、設定情報に従い、音楽配信サーバからストリーミングによる音楽配信を開始し、クライアントソフトは、インターネットを介し、音楽配信サーバに音楽配信要求を行ない、音楽配信要求を受けた音楽配信サーバは、クライアントソフトに配信するデータのヘッダに現時点で音楽配信サーバが保持するＩＤ情報を付加し、インターネットを介してクライアントソフトにデータを配信し、クライアントソフトは、受け取ったデータ内に含まれるＩＤ情報を読み取り、インターネットを介して音楽配信サーバにＩＤ情報の問い合わせを行ない、音楽配信サーバは、ＩＤ情報を照合し、ＩＤ情報が一致した場合、音楽配信サーバは暗号解除キーをクライアントソフトに送信し、暗号化されたストリーミングデータの配信を開始し、クライアントソフトは、音楽配信サーバから受信した暗号解除キーを用いてストリーミングデータを複合しながら音楽再生を行ない、音楽再生終了後、クライアントソフトはストリーミングデータの連続性を保証するために備えられてあるバッファに蓄積したストリーミングデータを削除し、音楽配信サーバは、ストリーミングデータとして流されている音楽の曲の変り目毎および一定時間毎にＩＤ情報を新たに生成し、音楽配信サーバは、新しい音楽が配信される曲の変り目毎、あるいは、一定時間毎に音楽配信サーバの保持するＩＤ情報が切り替わるタイミングにおいて、音楽配信サーバはクライアントソフトに、インターネットを介して、ＩＤ情報を配信し、ストリーミング音楽およびＣＭ商品情報配信中、音楽配信サーバにＣＭ商品情報の請求を行ない、請求を受けた音楽配信サーバは、対応するＣＭ商品情報を持っていればそれを配信し、存在しなければインターネット上のＣＭ商品情報サイトから対応するＣＭ商品情報を呼び出し、クライアントソフトに配信し、ライアントソフトは受け取ったＣＭ商品情報を、ユーザ端末の出力を用いて表示し、ＣＭ商品購入依頼を発信し、ＣＭ商品情報サイトに購入を指示し、ＣＭ商品情報サイトは、利用者の決済情報及びデジタル音楽データ購入履歴を会員情報データベースに問い合わせ、会員情報データベースは問い合わせ結果をＣＭ商品情報サイトへ返送し、ＣＭ商品情報サイトは照会された決済情報を元に、デジタル音楽データ購入履歴にデジタル音楽データ購入済実績記録がある場合はＣＤ購入割引決済処理を行ない、クライアントソフト通知し、ＣＭ商品購入する処理をコンピュータに実行させる。
【０２３８】
【発明の実施の形態】
次に、本発明の実施の形態について図面を参照して説明する。
【０２３９】
図１は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムの一実施の形態を示すブロック図である。
【０２４０】
・本発明はストリーミング音楽配信と即時購入システムを組み合わせることで、提携企業の音楽データ購入、及び提携ショッピングサイトにユーザを誘導する販促システムである。
【０２４１】
・クライアントとサーバの連携システムにより、ストリーミング再生を制御され、「制御ＩＤ」は「時限式」で管理される。
【０２４２】
・「今流れている音楽」に対してユーザが興味を持った、その機会を逃さず、プロモーションから購入までを提供できるため、宣伝の効果が即座に売上に反映される。
【０２４３】
・クライアントを介して、ユーザは番組の視聴、楽曲情報表示、購入までを簡単な操作で行なえる。
【０２４４】
・ストリーミング音楽配信を開始するため、ユーザは特定のサイト等に能動的なアクセスを試みる必要がない。
【０２４５】
本発明は、音楽配信・情報提供・購入までの手段を一括して、しかも手軽に利用者へと提供する手段を提供するものであり、以下に挙げる４つのシステムにより構成される。
【０２４６】
１．ＰＵＳＨ型ストリーミング音楽配信システム
図１において、利用者はユーザ端末１０を用いて、音楽配信サーバ２０が提供するＷｅｂサイトにアクセスし、個人情報、決済情報を登録した後、音楽再生用のクライアントソフト３０を無料でダウンロードする。
【０２４７】
音楽配信サーバ２０は、利用者の情報を会員情報データベース４０に登録する。
【０２４８】
利用者が任意のタイミングでクライアントソフト３０をユーザ端末１０で起動することにより、クライアントソフト３０がインターネット１００経由で音楽配信サーバ２０に接続し、音楽配信サーバ２０から２４時間自動で配信される音楽を聴くことができる。
【０２４９】
音楽配信のみであれば、利用者は一切の料金を支払う必要がない。ただし、音楽配信サーバ２０から配信されるストリーミングデータは暗号化された独自の形式であり、クライアントソフト３０でしか再生できず、後述の「時限式ＩＤ管理サーバシステム」により再生を制限される。
【０２５０】
音楽配信サーバ２０は配信内容の異なる複数の「番組」を配信しており、利用者はクライアントソフト３０の設定を行なうことにより、利用者の好む番組のみを選択でき、気に入らない番組を排除できる。
【０２５１】
番組の中には、パーソナリティを用いたラジオ番組形式のものもあり、この番組内であればＣＭを配信することもできる。これらの音楽配信、及びＣＭ契約により、本システムの提供側は契約料を得ることが可能である。
【０２５２】
２．即時対応型購入システム
図１において、音楽配信サーバ２０から配信された音楽に興味を持った利用者に対し、その音楽に関する各種情報、及び、デジタル音楽データの購入手段を、クライアントソフト３０を通してリアルタイムに提供するシステムである。
【０２５３】
利用者がクライアントソフト３０の特定ボタンをクリックするだけで、利用者が現在クライアントソフト３０を通して聞いている音楽のアーティスト情報等が音楽配信サーバ２０から即座に発信される。
【０２５４】
これらの情報は利用者が操作をしない限り配信されることはなく、再び情報を閲覧したい場合を考慮して、クライアントソフト３０にブックマーク（Ｗｅｂページのアドレス（ＵＲＬ）を記憶しておき再度のアクセスが容易になるようにするアドレス一覧帳）として登録しておくこともできる。この場合の情報再検索も、クライアントソフト３０の特定ボタンをクリックするだけで実行できる。
【０２５５】
この情報を閲覧した利用者が、デジタル音楽データの購入を希望した場合、クライアントソフト３０の特定ボタンをクリックするだけで、クライアントソフト３０を介して、音楽配信サーバ２０からユーザ端末１０にデジタル音楽データがダウンロードされる。
【０２５６】
デジタル音楽データの形式はＭＰ３等、世界的に普及している形式に、著作権管理機能を付加したものである。また、デジタル音楽データの付加要素として、歌詞情報、ＣＤのジャケット画像なども安価で提供され、購入物をユーザが自由に選択可能である。
【０２５７】
利用者がクライアントソフト３０を介してダウンロードを行なうと、音楽配信サーバ２０は会員情報データベース４０を参照し、自動で決済手続きを行なう。この際、購入履歴が会員情報データベース４０に一定期間保存されるため、万一利用者がデジタル音楽データのダウンロードに失敗、あるいはデータを紛失した場合でも、購入履歴が保存されている期間においては再ダウンロードが可能である。
【０２５８】
３．ショッピング提携システム
音楽をデジタルデータとしてだけではなく、ＣＤという「物」の形で保存したい利用者向けに、インターネットショッピングサイトとの連携を図るシステムである。
【０２５９】
図１において、音楽配信サーバ２０から配信中の音楽に利用者が興味を持った利用者が、クライアントソフト３０の特定ボタンをクリックすることにより、ＰＵＳＨ型ストリーミング音楽配信システムの提供側とサービス提携しているショッピングサイト５０のＣＤの購入ページが表示される。
【０２６０】
表示される購入ページは、利用者が現在クライアントソフト３０を通して聴いている音楽が収録されたＣＤのページである。
【０２６１】
決済は音楽配信サーバ２０と共有した会員情報データベース４０を参照して行なわれるため、利用者は改めて決済情報を入力する必要がなく、購入ボタンをクリックするだけで注文が完了するが、配送先の変更等も可能である。
【０２６２】
また、ショッピングサイト５０が会員情報データベース４０を参照する際、利用者の「デジタル音楽データ購入履歴」を参照し、利用者はその音楽のデジタル音楽データを購入済みであるかを判断する。
【０２６３】
すでにデジタル音楽データを購入済であった場合、購入の際に割引が行なわれる。ただし、この割引は会員情報データベース４０にデジタル音楽データ購入履歴が保存されている期間内で有効である。
【０２６４】
４．時限式ＩＤ管理サーバシステム
図１において、音楽配信サーバ２０から提供されるデジタル音楽データは、再生終了後に削除されるが、何らかの形で利用者が保存する場合も想定できる。そのデジタル音楽データの違法配布、不正保存等を防ぐため、音楽配信サーバ２０で時限式のＩＤを管理し、クライアントソフト３０と連携するシステムである。
【０２６５】
クライアントソフト３０は音楽配信サーバ２０から配信されたデジタル音楽データに含まれるＩＤ情報を取得し、折り返し音楽配信サーバ２０に問い合わせを行なう。
【０２６６】
音楽配信サーバ２０の保持するＩＤ情報と、配信されたデータに含まれるＩＤ情報が一致した場合のみ、音楽配信サーバ２０は暗号解除キーをクライアントソフト３０に送信し、ストリーミング配信を開始する。
【０２６７】
クライアントソフト３０はこの暗号解除キーを用いて、音楽配信サーバ２０から配信されたデジタル音楽データのストリーミング再生を行ない、再生終了後にバッファに蓄えたデータを削除する。ＩＤ情報は一定時間（基本的には番組終了時まで）音楽配信サーバ２０に保持され、期間が過ぎると新たに生成される。
【０２６８】
ＩＤ情報の付加、及び暗号解除キーの送信は音楽配信サーバ２０で一括して行なうため、配信側も利用者もＩＤの変動を意識する必要が無い。
【０２６９】
また、何らかの手段で利用者が配信データを保存し、ＩＤ情報の取得、及び暗号の解除を行なったとしても、音楽配信サーバ２０との認証が行なわれない限り、クライアントソフト３０は当該デジタル音楽データの再生を行なわない。
【０２７０】
次に、本発明の実施の形態として図１を参照すると、本発明のＰＵＳＨ型ストリーミング音楽配信システムにおける即時対応型購入システム及び時限式ＩＤ管理サーバシステムを利用してデジタル音楽データの販売を行なうシステムと方法およびプログラムは、ユーザ端末１０、音楽配信サーバ２０、会員情報データベース４０及び、ユーザ端末１０の中で動作するデジタル音楽データ再生用のクライアントソフト３０と、音楽配信サーバ２０を保有する音楽の提供側と提携したショッピングサイト５０と、音楽配信サーバ２０からＣＭで流れている商品の情報の提供サイトであるＣＭ商品情報サイト６０と、前記これらを接続するインターネット１００とにより構成されている。
【０２７１】
ユーザ端末１０は、インターネット接続機能と、音楽再生機能を備えた情報処理装置であり、パーソナルコンピュータのほか、携帯端末や携帯電話も含まれる。
【０２７２】
クライアントソフト３０は、情報処理装置上で動作するプログラムであり、音楽配信サーバ２０とインターネット１００を介して情報のやり取りを行ない、配信デジタル音楽データの再生を行なう他、音楽情報の取得や表示、購入処理、購入データのダウンロードまでを一括して行なう機能を備えている。
【０２７３】
音楽配信サーバ２０は、インターネット１００に接続された、サーバ等の情報処理装置であり、クライアントソフト３０を提供するためのＷｅｂサイト、音楽や情報の配信機能、ＩＤ生成機能、デジタル音楽データの暗号化機能を備え、インターネット１００を介しまたは直に会員情報データベース４０と常に接続されている。
【０２７４】
音楽の提供側は、この音楽配信サーバ２０に配信デジタル音楽データやデジタル音楽データと連動する情報を登録し、配信する。ＩＤ情報は英数字からなる数十桁のランダムな文字列であり、一定時間ごとに新しく生成される。
【０２７５】
会員情報データベース４０には、利用者の個人情報、決済情報、デジタル音楽データ購入履歴が保持される。
【０２７６】
個人情報は、氏名、住所、電話番号、メールアドレスなどの基本情報であり、顧客情報の蓄積という意味合いの他に、ショッピングサイト５０から配送先の確認のためにも参照される。
【０２７７】
決済情報には、クレジットカード番号やＷｅｂマネー等を用いた取引情報が含まれる。デジタル音楽データ購入履歴は利用者が購入したデジタル音楽データの情報であり、一定期間を過ぎると削除される。
【０２７８】
ショッピングサイト５０は、音楽配信サーバ２０とは独立したシステムであり、こちらもインターネット１００に接続されたサーバ等の情報処理装置によって提供されるＷｅｂサイトである。単体でもＣＤの購入から配送処理までを行なうことができるが、本実施の形態においては、音楽配信サーバ２０と連携を行なうことにより、利用者が目的の商品を検索する手間を省き、利便性向上を図っている。
【０２７９】
ＣＭ商品情報サイト６０は、音楽配信サーバ２０にＣＭで流れている商品の情報の提供元のサイトであり、ＣＭに興味を持った利用者が、クライアントソフト３０のボタンをクリックし、インターネット１００を介して音楽配信サーバ２０に、ＣＭで流れている商品の情報を問い合わせ、音楽配信サーバ２０は、対応する情報を持っていればそれを配信し、存在しなければインターネット１００上のＣＭ商品情報サイト６０から対応する情報を呼び出し、クライアントソフト３０に配信する。この際、ＣＭ内で音楽が使用されていた場合、その音楽に関する情報も配信され、その情報を見て、利用者がデジタル音楽データの購入ができる。
【０２８０】
次に、本発明の実施の形態の動作について、図１，図２，図３，図４，および図５を参照して詳細に説明する。
【０２８１】
ここで、ユーザ端末１０は、インターネット１００とブロードバンド接続されたパーソナルコンピュータであり、クライアントソフト３０はそのパーソナルコンピュータで動作するものとする。また、ショッピングサイト５０を提供するＷｅｂサーバと、音楽配信サーバ２０とは別個の存在であり、インターネット１００を介して情報をやり取りできるものとする。
【０２８２】
図２は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのデジタル音楽データ再生用クライアントソフトのダウンロードおよびストリーミング音楽再生の一実施の形態の動作を示す流れ図である。
【０２８３】
まず、図２を参照すると、利用者はユーザ端末１０を用いて音楽配信サーバ２０の提供するＷｅｂサイトにアクセスし、個人情報と決済情報を入力する（ステップＡ１）。音楽配信サーバ２０はこれら個人情報と決済情報をユーザ端末１０から受け利用者を会員情報データベース４０に会員として登録するために会員情報データベース４０にアクセスし（ステップＡ２）、会員情報データベース４０はこれらの個人情報と決済情報からなる会員情報を会員情報データベース４０に登録し（ステップＡ３）、音楽配信サーバ２０はユーザ端末１０にクライアントソフト３０を提供する（ステップＡ４）。
【０２８４】
このようにしてユーザ端末１０はクライアントソフト３０を音楽配信サーバ２０からダウンロードし（ステップＡ５）、利用者はユーザ端末１０上でクライアントソフト３０を実行し（ステップＡ６）、配信を希望する番組の設定を行なう（ステップＡ７）。その設定情報に従い、音楽配信サーバ２０からストリーミングによる音楽配信が開始される（ステップＡ８）。
【０２８５】
図３は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのストリーミング音楽配信におけるＩＤ情報と暗号解除キーの一実施の形態の動作を示す流れ図であり、前記ステップＡ８のストリーミングによる音楽配信の詳細な動作を示す流れ図である。
【０２８６】
クライアントソフト３０は、インターネット１００を介し、音楽配信サーバ２０に音楽配信要求を行なう（ステップＢ１）。音楽配信要求を受けた音楽配信サーバ２０は、クライアントソフト３０に配信するデータのヘッダに現時点で音楽配信サーバ２０が保持するＩＤ情報を付加し（ステップＢ２）、インターネット１００を介してクライアントソフト３０にデータを配信する（ステップＢ３）。
【０２８７】
この時点でクライアントソフト３０に配信するデータとは、「音楽配信要求があった時点で音楽配信サーバ２０が配信していたストリーミングデータ」であって、「音楽データの先頭」とは限らない。
【０２８８】
クライアントソフト３０は、受け取ったデータ内に含まれるＩＤ情報を読み取り（ステップＢ４）、インターネット１００を介して音楽配信サーバ２０にＩＤ情報の問い合わせを行なう（ステップＢ５）。
【０２８９】
音楽配信サーバ２０は、ＩＤ情報を照合し、ＩＤ情報が一致した場合、音楽配信サーバ２０は暗号解除キーをクライアントソフト３０に送信し（ステップＢ６）、暗号化されたストリーミングデータの配信を開始する（ステップＢ７）。
【０２９０】
以降、クライアントソフト３０は、音楽配信サーバ２０から受信した暗号解除キーを用いてストリーミングデータを複合しながら音楽再生を行なう（ステップＢ８）。
【０２９１】
音楽再生終了後、クライアントソフト３０はストリーミングデータの連続性を保証するために備えられてあるバッファに蓄積したストリーミングデータを削除する（ステップＢ９）。
【０２９２】
また、音楽配信サーバ２０は、ストリーミングデータとして流されている音楽の曲の変り目毎および一定時間毎にＩＤ情報を新たに生成する（ステップＢ１０）。音楽配信サーバ２０は、この新しい音楽が配信される曲の変り目毎、あるいは、一定時間毎に音楽配信サーバ２０の保持するＩＤ情報が切り替わるタイミングにおいて、音楽配信サーバ２０とクライアントソフト３０は、インターネット１００を介して、ステップＢ２〜Ｂ７に示される一連の処理を繰り返す。
【０２９３】
再び図２を参照すると、図３のフローにより配信されたデジタル音楽データは、ユーザ端末１０の音楽再生機能を用いて、利用者に提供される（ステップＡ９）。
【０２９４】
ストリーミング配信中、利用者がその音楽に興味を持った場合、クライアントソフト３０のボタンをクリックして、音楽配信サーバ２０に音楽情報請求を行なう（ステップＡ１０）。
【０２９５】
請求を受けた音楽配信サーバ２０は、現在配信中の音楽に関する情報をクライアントソフト３０に配信する（ステップＡ１１）。クライアントソフト３０は受け取った情報を、ユーザ端末１０の出力を用いて表示する（ステップＡ１２）。
【０２９６】
ここで、ステップＡ１１にてクライアントソフト３０が受け取った音楽情報を再び情報を閲覧したい場合を考慮して、クライアントソフト３０にブックマークとして登録しておくこともできる。この場合の情報再検索も、クライアントソフト３０の特定ボタンをクリックするだけで実行できる。
【０２９７】
次に、利用者が音楽の購入を行なう際の処理フロー図４に示す。図４は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのデジタル音楽データの購入の一実施の形態の動作を示す流れ図である。
【０２９８】
図２のフローにより、利用者がそのストリーミング音楽に対応するデジタル音楽データを購入したいと考えた場合、クライアントソフト３０の該当ボタンＡをクリックし、インターネット１００を介して音楽配信サーバ２０に、デジタル音楽データ購入依頼を発信する（ステップＣ１）。
【０２９９】
音楽配信サーバ２０は会員情報データベース４０に、決済情報の問い合わせを行なう（ステップＣ２）。会員情報データベース４０は利用者の決済情報照会結果を音楽配信サーバ２０に送り返す（ステップＣ３）。
【０３００】
決済情報の照会が完了した時点で、音楽配信サーバ２０はクライアントソフト３０に対し、デジタル音楽データの送信を開始する（ステップＣ４）。このデジタル音楽データは、ストリーミングで配信されるデジタル音楽データとは別に処理され、ダウンロード中にストリーミング配信が途切れることはない。
【０３０１】
クライアントソフト３０はデータを全て受信した時点で（ステップＣ５）、ユーザ端末１０の記憶装置にデジタル音楽データの保存を行なう（ステップＣ６）。
【０３０２】
音楽配信サーバ２０は、デジタル音楽データの送信が終わった時点で、会員情報データベース４０にデジタル音楽データ購入履歴の登録を行ない（ステップＣ７）、会員情報データベース４０はこのデジタル音楽データ購入履歴の保存を行う（ステップＣ８）。
【０３０３】
以上の処理が終わった時点で、音楽配信サーバ２０は、ステップＣ３で得た、利用者の決済情報を元に、決済処理を開始する（ステップＣ９）。
【０３０４】
上記のフローはストリーミング音楽に対応するデジタル音楽データを購入する場合であるが、先の図２のステップＡ１１にてクライアントソフト３０が受け取った音楽情報を再び情報を閲覧したい場合を考慮して、クライアントソフト３０にブックマークとして登録しておいた音楽情報からデジタル音楽データを購入する場合について以下に示す。
【０３０５】
利用者が以前ブックマークした音楽情報の表示を希望した場合、利用者はクライアントソフト３０のボタンＰをクリックする。クライアントソフト３０は保存されていたブックマーク情報をキーとして、インターネット１００を介して音楽配信サーバ２０へ音楽情報配信請求を行なう。
【０３０６】
音楽配信サーバ２０はクライアントソフト３０から送信されてきたブックマーク情報をキーとして、クライアントソフト３０へ音楽情報の配信を行なう。利用者が音楽情報に示されたデジタル音楽データを購入したいと考えた場合、クライアントソフト３０のボタンＱをクリックし、インターネット１００を介して音楽配信サーバ２０に、デジタル音楽データ購入依頼を送信する（ステップＣ１）。
【０３０７】
これ以降の処理については、図４のステップＣ２以降のステップ、及びその説明と全く同様である。
【０３０８】
また、デジタル音楽データを購入するもう一つの方法である、特定の音楽情報を検索してデジタル音楽データ購入を行なう場合のフローを以下に示す。
【０３０９】
利用者は購入したい音楽に関する情報を、わかる範囲でクライアントソフト３０に入力し、クライアントソフト３０のボタンＲをクリックする。クライアントソフト３０は利用者から入力された音楽情報の検索条件を、インターネット１００を介して音楽配信サーバ２０に送信する。音楽配信サーバ２０はクライアントソフト３０から送信された音楽情報の検索条件をキーとして音楽情報の検索を行ない、インターネット１００及びクライアントソフト３０を介して検索結果である音楽情報の一覧を利用者に通知する。利用者は表示された音楽情報一覧の中から希望する音楽を選択し、クライアントソフト３０のボタンＳをクリックする。
【０３１０】
クライアントソフト３０は利用者が選択した音楽情報をキーとして、音楽配信サーバ２０へ音楽データ購入依頼を送信する（ステップＣ１）。
【０３１１】
これ以降の処理については、図４のステップＣ２以降のステップ、及びその説明と全く同様である。
【０３１２】
次に、利用者が音楽ＣＤ購入を行なう際の処理フロー図５に示す。図５は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムの音楽ＣＤのショピングサイトからの購入の一実施の形態の動作を示す流れ図である。
【０３１３】
図２のフローにより、利用者がそのストリーミング音楽が含まれるＣＤを購入したいと考えた場合、クライアントソフト３０の該当ボタンＢをクリックし、インターネット１００を介して音楽配信サーバ２０に、音楽ＣＤ購入依頼を発信する（ステップＤ１）。
【０３１４】
音楽配信サーバ２０は現在配信中のストリーミング音楽に対応する音楽情報を、インターネット１００を介してショッピングサイト５０に渡す（ステップＤ２）。
【０３１５】
ショッピングサイト５０は、音楽配信サーバ２０から受け取った音楽情報をキーとして対応のＣＤ検索を行ない（ステップＤ３）、検索結果をクライアントソフト３０に送信する（ステップＤ４）。クライアントソフト３０は検索結果を表示する（ステップＤ５）。
【０３１６】
利用者は提供された音楽ＣＤ情報の中から、欲しいと思うＣＤを選び、購入ボタンをクリックする（ステップＤ６）。ショッピングサイト５０は、利用者の決済情報及びデジタル音楽データ購入履歴を会員情報データベース４０に問い合わせる（ステップＤ７）。会員情報データベース４０は問い合わせ結果をショッピングサイト５０へ返送し（ステップＤ８）、ショッピングサイト５０は照会された決済情報を元に、手配、配送、決済処理を行なう（ステップＤ９）。これらが終了した時点で、ショッピングサイト５０は、クライアントソフト３０を通じて、利用者に処理の完了を表示することにより通知する（ステップＤ１０）。
【０３１７】
ステップＤ７でショッピングサイト５０が会員情報データベース４０を参照する際、利用者の「デジタル音楽データ購入履歴」を参照するのは、利用者はその音楽のデジタル音楽データを購入済みであるかを判断するためで、すでにデジタル音楽データを購入済であった場合、購入の際に割引（デジタル音楽データのソフト費用については既に支払済であるがＣＤ媒体としてのハード費用等が必要である）を行なう必要があるためである。
【０３１８】
上記のフローはストリーミング音楽が含まれるＣＤをショッピングサイト５０で購入するためのフローであるが、先の図２のステップＡ１１にてクライアントソフト３０が受け取った音楽情報を再び情報を閲覧したい場合を考慮して、クライアントソフト３０にブックマークとして登録しておいた音楽情報からストリーミング音楽が含まれるＣＤを購入したいと考えた場合について以下に示す。
【０３１９】
利用者が以前ブックマークした音楽情報の表示を希望した場合、利用者はクライアントソフト３０のボタンＰをクリックする。クライアントソフト３０は保存されていたブックマーク情報をキーとして、インターネット１００を介して音楽配信サーバ２０へ音楽情報配信請求を行なう。音楽配信サーバ２０はクライアントソフト３０から受け取った音楽情報を、インターネット１００を介してショッピングサイト５０に渡し、ショッピングサイト５０は音楽情報からＣＤを検索し（ステップＤ３）、検索結果をクライアントソフト３０に送信し（ステップＤ４）、クライアントソフト３０は検索結果を表示し（ステップＤ５）、音楽情報を見て、利用者がその音楽が含まれるＣＤの購入を決定する（ステップＤ６）。
【０３２０】
これ以降の処理については、図５のステップＤ７以降のステップ、及びその説明と全く同様である。
【０３２１】
また、ショッピングサイト５０でＣＤの購入するもう一つの方法である、特定の音楽情報を検索してデジタル音楽データ購入を行なう場合のフローを以下に示す。
【０３２２】
利用者は購入したい音楽ＣＤの情報をわかる範囲でクライアントソフト３０に入力し、クライアントソフト３０のボタンＵをクリックする。クライアントソフト３０は利用者から入力された音楽ＣＤ情報の検索条件を、インターネット１００を介して音楽配信サーバ２０に送信する。音楽配信サーバ２０はクライアントソフト３０から受け取った音楽ＣＤ情報の検索条件を、インターネット１００を介してショッピングサイト５０に渡し、ショッピングサイト５０は音楽ＣＤ情報の検索条件からＣＤを検索し（ステップＤ３）、検索結果をクライアントソフト３０に送信し（ステップＤ４）、クライアントソフト３０は検索結果を表示し（ステップＤ５）、音楽情報を見て、利用者がその音楽が含まれるＣＤの購入を決定する（ステップＤ６）。
【０３２３】
これ以降の処理については、図５のステップＤ７以降のステップ、及びその説明と全く同様である。
【０３２４】
次に、本発明の他の実施の形態について、詳細に説明する。
【０３２５】
前述の実施の形態では、ユーザ端末１０はインターネット１００にブロードバンド接続していることが前提となっていた。その理由は、高音質のストリーミングデータを配信するためと、購入のためのデジタル音楽データのダウンロード中にも、ストリーミングが途切れないようにするためである。
【０３２６】
しかし、音楽提供側が従来のナローバンドによるデジタル音楽データを提供することで、従来のナローバンドによる接続にも対応可能である。その際、ユーザ端末１０またはクライアントソフト３０はストリーミングデータを一時蓄積しておくバッファの量を多めに設定すれば、ストリーミングが途切れることも少ない。
【０３２７】
逆に、今後、ブロードバンド帯域幅が広がっていけば、さらに高音質の音楽のみならず、動画についても、同様のシステムを用いて販売を行なうことが可能となる。
【０３２８】
また、個人情報や決済情報をインターネット１００上で扱うことに抵抗を感じる利用者のため、会員登録不要でダウンロードできるクライアントソフト（以下、「体験版クライアントソフト」）も用意される。体験版クライアントソフトの機能は特定の番組配信と情報表示機能に限定され、音楽の購入、番組の選択ができない。また、体験版クライアントソフトでも時限式ＩＤ管理サーバシステムによる著作権管理は有効である。
【０３２９】
さらに、音楽再生時にその音楽の情報が得られるのと同じ原理で、番組内で使われるＣＭに関する情報を得られるように拡張できる。図６を用いてこの処理フローを説明する。
【０３３０】
図６は本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのストリーミング音楽配信中にＣＭ情報として流れている商品のＣＭ商品情報サイトからの購入の一実施の形態の動作を示す流れ図である。
【０３３１】
番組中のＣＭに興味を持った利用者が、クライアントソフト３０のボタンをクリックし、インターネット１００を介して音楽配信サーバ２０に、ＣＭで流れている商品の情報を問い合わせる（ステップＥ１）。
【０３３２】
音楽配信サーバ２０は、対応する情報を持っていればそれを配信し、存在しなければインターネット１００上のＣＭ商品情報サイト６０から対応する情報を呼び出し、クライアントソフト３０に配信する（ステップＥ２）。この際、ＣＭ内で音楽が使用されていた場合、その音楽に関する情報も配信される。
【０３３３】
クライアントソフト３０はＣＭ内で音楽が使用されていた場合、その音楽に関する音楽情報を、インターネット１００を介して音楽配信サーバ２０（ＣＭ商品情報サイト６０）に請求する（ステップＥ３）。
【０３３４】
音楽配信サーバ２０（ＣＭ商品情報サイト６０）は請求された音楽情報をクライアントソフト３０に配信する（ステップＥ４）。その情報を見て、利用者がデジタル音楽データ購入を依頼する（ステップＥ５）。以下の動作の流れは図４の一点鎖線で区切られた部分からのフローと同じである（図６のステップＥ４が図４のステップＣ１に符合する）。
【０３３５】
【発明の効果】
以上説明したように、本発明のＰＵＳＨ型ストリーミング音楽配信システムにおける即時対応型購入システム及び時限式ＩＤ管理サーバシステムを利用してデジタル音楽データの販売を行なうシステムと方法およびプログラムは、
第１の効果は、宣伝効果があることである。
【０３３６】
その理由は、実際に音楽を聴いてもらうことで、消費者の購買意欲を高めることが可能である。また、宣伝を行なう側も、時限式ＩＤ管理サーバシステムにより、データの著作権が保護されるため、安心して宣伝を行なうことができる。
【０３３７】
第２の効果は、利用者の購買欲求に対して、即座に対応できることである。
【０３３８】
その理由は、情報表示、購入までを簡単な操作のみで行なうことができるため、利用者の手を煩わせることが無く、購買意欲を損ないにくいためである。
【０３３９】
第３の効果は、ショッピングサイトの売上向上が計られることである。
【０３４０】
その理由は、利用者が検索を行なわなくても、システムが自動で検索を行ない、該当する商品の情報のみを利用者に提示するため、利用者はサイトの遷移を意識することなく、ショッピングサイト側もアクセス数の向上が見込め、また、デジタル音楽データを購入した利用者向けの割引サービスを設けることにより、音楽ＣＤの売上向上が図れるからである。
【０３４１】
第４の効果は、顧客が音楽データを入手する時間を短縮し、入手する機会を多くすること、レンタル店へ行く手間を省くこと、時によっては、レンタル店へ行くときと比べて、交通費を使わず安く音楽データを入手できることである。
【０３４２】
その理由は、音楽配信・情報提供・購入までの手段を一括して利用者へ提供されているからである。
【０３４３】
第５の効果は、顧客が音楽配信サーバから即時に購入した音楽デジタルデータを購入済みの場合、顧客の購買意欲を促進されるということである。
【０３４４】
その理由は、ショッピング提携システムでインターネットショッピングサイトと提携を図っており、顧客が音楽配信サーバから即時に購入した音楽デジタルデータを購入済みの場合、購入の際に割引が行われるからである。
【０３４５】
第６の効果は、ストリーミング音楽は不正に取得されることはない。
【０３４６】
その理由は、音楽データの暗号化を解除する際に使用される「ＩＤ」が、サーバとクライアントソフトの連携により管理され、ユーザはＩＤの入力等の操作が一切必要なく、また、そのシステムの存在を意識する必要が無く、時限式で管理されるため、サーバが「ＩＤ」を供給している時間内でしか再生して聴くことができないからである。
【０３４７】
第７の効果は、公共のメディアのラジオ・ＴＶ・有線放送で放送されている音楽から購入するよりも即座に売上に反映されるため、公共のメディアで行なわれるプロモーションよりも、効率の良いプロモーションを行なえるということである。
【０３４８】
その理由は、今聴いている音楽の購入を促すための販促システムであり、無料ストリーミング放送は提携した企業（例えば特定音楽レーベル）が提供する音楽データの購入、及び、提携ショッピングサイトでユーザがＣＤを購入するように誘導するものであり、宣伝の効果が即座に売上に反映されるため、「公共のメディア」で行なわれるプロモーションよりも、効率の良いプロモーションを行なえるからである。
【０３４９】
第８の効果は、ユーザはクライアントソフトを起動するというたった１つの動作を行なうのみで音楽を聴くことができることである。
【０３５０】
その理由は、従来のサーバは、ユーザ端末に楽曲を提供する機能しか持たなく、さらに、ユーザはブラウザを起動、ＵＲＬを指定してサイトにアクセス、配信楽曲の選択という動作が必要になるのに対し、本発明はユーザ端末側のクライアントソフトと連動し、以下の機能を持つ。
【０３５１】
・クライアントソフトとサーバの連携システムにより、ストリーミング再生を制御する
・制御ＩＤを「時限式」で管理する
・クライアントソフトからの要求に応じ、音楽情報表示を行なう
・クライアントソフトからの要求に応じ、ショッピングサイトへ誘導する
からである。
【０３５２】
第９の効果は、ストリーミングにより提供されたデータについて配信されるデータのみに制限事項を含めても、ユーザが何らかの手段でそれを解除されることもなく、購入したデータについてダウンロードが行なわれる際には決済まで終了しているため、回数等の制限事項を設ける必要が無いことである。
【０３５３】
その理由は、ストリーミングにより提供されたデータについては、ユーザ端末側のクライアントと、提供側サーバの連携（時限式ＩＤ管理サーバシステム）により、ストリーミング音楽の制御を行なっているためと、購入したデータについては、ダウンロードが行なわれる際には決済まで終了しているため、回数等の制限事項を設ける必要が無いからである。
【０３５４】
第１０の効果は、配信仲介システムのような乱立した音楽等のマルチメディア配信サイトからユーザサイドの端末が所望の配信データを受け取ることができるような機能だけのものでない。
【０３５５】
その理由は、ストリーミング配信と即時購入システムを組み合わせることで、提携企業の音楽データ購入、及び、提携ショッピングサイトにユーザを誘導することができ、またクライアントとサーバのにより、ストリーミング再生を制御するための「時限式ＩＤ」で管理されており、セキュリティ機能も備えているからである。
【図面の簡単な説明】
【図１】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムの一実施の形態を示すブロック図である。
【図２】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのデジタル音楽データ再生用クライアントソフトのダウンロードおよびストリーミング音楽再生の一実施の形態の動作を示す流れ図である。
【図３】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのストリーミング音楽配信におけるＩＤ情報と暗号解除キーの一実施の形態の動作を示す流れ図である。
【図４】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのデジタル音楽データの購入の一実施の形態の動作を示す流れ図である。
【図５】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムの音楽ＣＤのショピングサイトからの購入の一実施の形態の動作を示す流れ図である。
【図６】本発明のＰＵＳＨ型ストリーミング音楽配信システムにおける即時対応型購入システム及び時限式ＩＤ管理サーバシステムを利用してデジタル音楽データの販売を行なうシステムと方法およびプログラムのストリーミング音楽配信中にＣＭ情報として流れている商品のＣＭ商品情報サイトからの購入の一実施の形態の動作を示す流れ図である。
【符号の説明】
１０    ユーザ端末
２０    音楽配信サーバ
３０    クライアントソフト
４０    会員情報データベース
５０    ショッピングサイト
６０    ＣＭ商品情報サイト
１００    インターネット
【図１】
2004198509.tif 000003
【図２】
2004198509.tif 000004
【図３】
2004198509.tif 000005
【図４】
2004198509.tif 000006
【図５】
2004198509.tif 000007
【図６】
2004198509.tif 000008